(57)【特許請求の範囲】
【請求項１】
ユーザ機器（ＵＥ）において、競合ベース媒体上で１つまたは複数のネットワークエンティティからフレームを受信することと、ここにおいて、前記フレームがプリアンブルを含む、
前記プリアンブルに基づいて、前記フレームがユニキャスト送信に対応するのかジョイント送信に対応するのかを決定することと、
前記フレームが前記ジョイント送信に対応すると決定することと、前記ＵＥがユニキャストモードにあることとに応答して、前記フレームの残りについて、前記ＵＥをスリープモードにトリガすることと、ここにおいて、前記ＵＥは、次のフレームが受信されるまで、前記スリープモードのままである、
を備える、通信の方法。
【請求項２】
前記プリアンブルのスクランブリングを識別することをさらに備え、ここにおいて、前記フレームが前記ユニキャスト送信に対応するのか前記ジョイント送信に対応するのかを決定することは、前記プリアンブルの前記スクランブリングに基づく、請求項１に記載の方法。
【請求項３】
前記フレームが前記ユニキャスト送信に対応するのか前記ジョイント送信に対応するのかを決定することは、前記プリアンブルがセル識別子によってスクランブルされたことを識別することに応答して、前記フレームが前記ユニキャスト送信に対応すると決定することを備える、請求項２に記載の方法。
【請求項４】
前記フレームが前記ユニキャスト送信に対応するのか前記ジョイント送信に対応するのかを決定することは、前記プリアンブルが仮想セル識別子によってスクランブルされたことを識別することに応答して、前記フレームが多地点協調（ＣｏＭＰ）送信に関連するジョイント送信に対応すると決定することを備える、請求項２に記載の方法。
【請求項５】
前記フレームが前記ユニキャスト送信に対応するのか前記ジョイント送信に対応するのかを決定することは、前記プリアンブルがマルチキャストブロードキャスト単一周波数ネットワーク（ＭＢＳＦＮ）エリア識別子によってスクランブルされたことを識別することに応答して、前記フレームがＭＢＳＦＮ送信に関連するジョイント送信に対応すると決定することを備える、請求項２に記載の方法。
【請求項６】
セル識別子、仮想セル識別子およびマルチキャストブロードキャスト単一周波数ネットワーク（ＭＢＳＦＮ）エリア識別子のうちの少なくとも１つまたは複数に基づいて、前記プリアンブルのトーンロケーションを識別することをさらに備える、請求項２に記載の方法。
【請求項７】
前記プリアンブルが、チャネル使用ビーコン信号（ＣＵＢＳ）またはセル固有基準信号（ＣＲＳ）を備える、請求項１に記載の方法。
【請求項８】
前記プリアンブルが、物理フレームフォーマットインジケータチャネル（ＰＦＦＩＣＨ）、または現在のフレームフォーマットを示す共通ＰＤＣＣＨをさらに備える、請求項７に記載の方法。
【請求項９】
スケジューリングフレームが前記ジョイント送信に対応することを識別することに応答して、仮想セル識別子とマルチキャストブロードキャスト単一周波数ネットワーク（ＭＢＳＦＮ）エリア識別子とを使用して、前記ＰＦＦＩＣＨまたは前記現在のフレームフォーマットを示す共通ＰＤＣＣＨのトーンマッピングを実施することをさらに備える、請求項８に記載の方法。
【請求項１０】
前記ジョイント送信に参加している前記１つまたは複数のネットワークエンティティにわたって、前記ＰＦＦＩＣＨまたは前記現在のフレームフォーマットを示す共通ＰＤＣＣＨの前記ジョイント送信を実施することをさらに備える、請求項９に記載の方法。
【請求項１１】
前記競合ベース媒体が、無認可または共有スペクトルに関連する、請求項１に記載の方法。
【請求項１２】
命令を記憶するように構成されたメモリと、
前記メモリに通信可能に結合された１つまたは複数のプロセッサとを備え、ここにおいて、前記１つまたは複数のプロセッサは、
ユーザ機器（ＵＥ）において、競合ベース媒体上で１つまたは複数のネットワークエンティティからフレームを受信することと、ここにおいて、前記フレームがプリアンブルを含む、
前記プリアンブルに基づいて、前記フレームがユニキャスト送信に対応するのかジョイント送信に対応するのかを決定することと、
前記フレームが前記ジョイント送信に対応すると決定することと、前記ＵＥがユニキャストモードにあることとに応答して、前記フレームの残りについて、前記ＵＥをスリープモードにトリガすることと、ここにおいて、前記ＵＥは、次のフレームが受信されるまで、前記スリープモードのままである、
を行うために前記命令を実行するように構成された、ワイヤレス通信のための装置。
【請求項１３】
前記１つまたは複数のプロセッサが、前記プリアンブルのスクランブリングを識別するようにさらに構成され、ここにおいて、前記１つまたは複数のプロセッサは、前記プリアンブルの前記スクランブリングに基づいて、前記フレームが前記ユニキャスト送信に対応するのか前記ジョイント送信に対応するのかを決定するように構成された、請求項１２に記載の装置。
【請求項１４】
前記フレームが前記ユニキャスト送信に対応するのか前記ジョイント送信に対応するのかを決定するように構成された前記１つまたは複数のプロセッサは、前記プリアンブルがセル識別子によってスクランブルされたことを識別することに応答して、前記フレームが前記ユニキャスト送信に対応すると決定するようにさらに構成された、請求項１３に記載の装置。
【請求項１５】
前記フレームが前記ユニキャスト送信に対応するのか前記ジョイント送信に対応するのかを決定するように構成された前記１つまたは複数のプロセッサは、前記プリアンブルが仮想セル識別子によってスクランブルされたことを識別することに応答して、前記フレームが多地点協調（ＣｏＭＰ）送信に関連するジョイント送信に対応すると決定するようにさらに構成された、請求項１３に記載の装置。
【請求項１６】
前記フレームが前記ユニキャスト送信に対応するのか前記ジョイント送信に対応するのかを決定するように構成された前記１つまたは複数のプロセッサは、前記プリアンブルがマルチキャストブロードキャスト単一周波数ネットワーク（ＭＢＳＦＮ）エリア識別子によってスクランブルされたことを識別することに応答して、前記フレームがＭＢＳＦＮ送信に関連するジョイント送信に対応すると決定するようにさらに構成された、請求項１３に記載の装置。
【請求項１７】
前記１つまたは複数のプロセッサが、セル識別子、仮想セル識別子およびマルチキャストブロードキャスト単一周波数ネットワーク（ＭＢＳＦＮ）エリア識別子のうちの少なくとも１つまたは複数に基づいて、前記プリアンブルのトーンロケーションを識別するようにさらに構成された、請求項１３に記載の装置。
【請求項１８】
前記プリアンブルが、チャネル使用ビーコン信号（ＣＵＢＳ）またはセル固有基準信号（ＣＲＳ）を備える、請求項１２に記載の装置。
【請求項１９】
前記プリアンブルが、物理フレームフォーマットインジケータチャネル（ＰＦＦＩＣＨ）、または現在のフレームフォーマットを示す共通ＰＤＣＣＨをさらに備える、請求項１８に記載の装置。
【請求項２０】
前記１つまたは複数のプロセッサは、スケジューリングフレームが前記ジョイント送信に対応することを識別することに応答して、仮想セル識別子とマルチキャストブロードキャスト単一周波数ネットワーク（ＭＢＳＦＮ）エリア識別子とを使用して、前記ＰＦＦＩＣＨまたは前記現在のフレームフォーマットを示す共通ＰＤＣＣＨのトーンマッピングを実施するようにさらに構成され、ここにおいて、前記１つまたは複数のプロセッサが、前記ジョイント送信に参加している前記１つまたは複数のネットワークエンティティにわたって、前記ＰＦＦＩＣＨまたは前記現在のフレームフォーマットを示す共通ＰＤＣＣＨの前記ジョイント送信を実施するようにさらに構成された、請求項１９に記載の装置。
【請求項２１】
トランシーバをさらに備え、ここにおいて、前記ＵＥにおいて、前記競合ベース媒体上で前記１つまたは複数のネットワークエンティティから前記フレームを前記受信、請求項１２に記載の装置。
【請求項２２】
前記競合ベース媒体が、無認可または共有スペクトルに関連する、請求項１２に記載の装置。
【請求項２３】
ユーザ機器（ＵＥ）において、競合ベース媒体上で１つまたは複数のネットワークエンティティからフレームを受信するための手段と、ここにおいて、前記フレームがプリアンブルを含む、
前記プリアンブルに基づいて、前記フレームがユニキャスト送信に対応するのかジョイント送信に対応するのかを決定するための手段と、
前記フレームが前記ジョイント送信に対応すると決定することと、前記ＵＥがユニキャストモードにあることとに応答して、前記フレームの残りについて、前記ＵＥをスリープモードにトリガするための手段と、ここにおいて、前記ＵＥは、次のフレームが受信されるまで、前記スリープモードのままである、
を備える、通信のための装置。
【請求項２４】
前記プリアンブルのスクランブリングを識別するための手段をさらに備え、ここにおいて、前記フレームが前記ユニキャスト送信に対応するのか前記ジョイント送信に対応するのかを決定するための前記手段は、前記プリアンブルの前記スクランブリングに基づく、請求項２３に記載の装置。
【請求項２５】
ユーザ機器（ＵＥ）において、競合ベース媒体上で１つまたは複数のネットワークエンティティからフレームを受信するためのコードと、ここにおいて、前記フレームがプリアンブルを含む、
前記プリアンブルに基づいて、前記フレームがユニキャスト送信に対応するのかジョイント送信に対応するのかを決定するためのコードと、
前記フレームが前記ジョイント送信に対応すると決定することと、前記ＵＥがユニキャストモードにあることとに応答して、前記フレームの残りについて、前記ＵＥをスリープモードにトリガするためのコードと、ここにおいて、前記ＵＥは、次のフレームが受信されるまで、前記スリープモードのままである、
を備える、通信のためのコンピュータ実行可能コードを記憶する非一時的コンピュータ可読媒体。
【請求項２６】
前記プリアンブルのスクランブリングを識別するためのコードをさらに備え、ここにおいて、前記フレームが前記ユニキャスト送信に対応するのか前記ジョイント送信に対応するのかを決定するための前記コードは、前記プリアンブルの前記スクランブリングに基づく、請求項２５に記載の非一時的コンピュータ可読媒体。
【発明の詳細な説明】
【技術分野】
【０００１】
関連出願の相互参照
[0001]本特許出願は、本出願の譲受人に譲渡され、参照により本明細書に明確に組み込まれる、２０１６年７月２８日に出願された「TECHNIQUES FOR JOINT TRANSMISSION IN UNLICENSED SPECTRUM」と題する米国非仮出願第１５／２２２，７３１号、および２０１５年７月３１日に出願された「TECHNIQUES FOR JOINT TRANSMISSION IN UNLICENSED SPECTRUM」と題する米国仮出願第６２／１９９，８４６号の優先権を主張する。
【背景技術】
【０００２】
[0002]本開示の態様は、一般に電気通信に関し、より詳細には、無認可スペクトルにおけるジョイント送信のための技法に関する。
【０００３】
[0003]ロングタームエボリューションネットワークは、データオフロードのために無認可無線周波数（ＲＦ）帯域における動作を拡大している。たとえば、キャリアアグリゲーション特徴を使用して、ＬＴＥ（登録商標）ネットワークは、認可ＲＦ帯域と無認可ＲＦ帯域の両方を使用しながら、より高いデータレートにおいて動作することができる。ワイヤレス通信ネットワークは、ネットワークのカバレージエリア内のユーザに様々なタイプのサービス（たとえば、音声、データ、マルチメディアサービスなど）を提供するために展開され得る。いくつかの実装形態では、（たとえば、異なるセルに対応する）１つまたは複数のアクセスポイントは、（１つまたは複数の）アクセスポイントのカバレージ内で動作しているアクセス端末（たとえば、セルフォン）にワイヤレス接続性を提供する。いくつかの実装形態では、ピアデバイスが、互いと通信するためにワイヤレス接続可能に提供する。
【０００４】
[0004]その上、ＬＴＥネットワークが、より高い容量に集中し、より高いビットレートを与えるために、無認可ＲＦ帯域における動作を拡大するにつれて、いくつかの他の要件が満たされる必要がある。たとえば、ＬＴＥネットワークは、ピークデータレートの増加、より高いスペクトル効率、同時アクティブ加入者の数の増加、セルエッジにおける性能の改善を実現する必要がある。セルエッジにおける性能を改善するために、多地点協調動作（ＣｏＭＰ）が導入された。ＣｏＭＰでは、いくつかの送信ポイントがダウンリンク中で協調送信を行い、いくつかの受信ポイントがアップリンク中で協調受信を行う。ダウンリンクの場合、データは、２つの送信ネットワークエンティティまたは送信ポイント（たとえば、セルまたはノードとも呼ばれる、２つのアクセスポイントまたは基地局）からの送信のために利用可能である。２つまたはそれ以上のネットワークエンティティが、同じ周波数上でおよび同じサブフレーム中で送信するとき、送信は、「ジョイント送信」と呼ばれることがある。ジョイント送信は、概して、複数の協働するアクセスポイントから（ワイヤレスデバイス、ワイヤレス端末デバイス、ワイヤレス端末、またはモバイルデバイスとも呼ばれる）ユーザ機器またはＵＥへの、データの同時またはコンカレント送信として説明され得る。
【０００５】
[0005]同様に、拡張マルチメディアブロードキャストマルチキャストサービス（ｅＭＢＭＳ：enhanced Multimedia Broadcast Multicast Service）サービスの効率をさらに改善するために、ＬＴＥインフラストラクチャを使用してモバイルＴＶなどのサービスを配信することができる、マルチキャストブロードキャスト単一周波数ネットワーク（ＭＢＳＦＮ：multicast-broadcast single-frequency network）が導入された。ネットワークデバイスは、同じデータ（同一のデータ）を複数のＵＥに同時に送信し得る。さらに、ＭＢＳＦＮモードで構成されたネットワークデバイスはまた、ダウンリンク上のジョイント送信に関与し得る。たとえば、複数のネットワークエンティティは、デバイスＵＥが複数のアクセスポイントから同じデータを受信し得るように、同一のデータを同時に送信し得る。
【０００６】
[0006]したがって、無認可スペクトルの増大する使用を仮定すれば、１つまたは複数のネットワークエンティティからのダウンリンク送信のタイプの効率的および改善された識別を与えるための技法が必要とされる。
【発明の概要】
【０００７】
[0007]以下は、１つまたは複数の態様の基本的理解を与えるために、そのような態様の簡略化された概要を提示する。この概要は、すべての企図された態様の包括的な概観ではなく、すべての態様の主要または重要な要素を識別するものでも、いずれかまたはすべての態様の範囲を定めるものでもない。その唯一の目的は、後で提示されるより詳細な説明の導入として、１つまたは複数の態様のいくつかの概念を簡略化された形で提示することである。
【０００８】
[0008]一態様によれば、無認可スペクトルにおけるジョイント送信を識別するための本方法が提供される。説明される態様は、ユーザ機器（ＵＥ）において、競合ベース媒体上で１つまたは複数のネットワークエンティティからフレームを受信することを含み、ここにおいて、フレームはプリアンブルを含む。説明される態様は、プリアンブルに基づいて、フレームがユニキャスト送信に対応するのかジョイント送信に対応するのかを決定することをさらに含む。
【０００９】
[0009]別の態様では、無認可スペクトルにおけるジョイント送信を識別するための本装置は、命令を記憶するように構成されたメモリと、メモリに通信可能に結合された１つまたは複数のプロセッサとを含み得、ここにおいて、１つまたは複数のプロセッサおよびメモリは、ＵＥにおいて、競合ベース媒体上で１つまたは複数のネットワークエンティティからフレームを受信するように構成され、ここにおいて、フレームはプリアンブルを含む。説明される態様は、プリアンブルに基づいて、フレームがユニキャスト送信に対応するのかジョイント送信に対応するのかをさらに決定する。
【００１０】
[0010]別の態様では、本コンピュータ可読媒体は、無認可スペクトルにおけるジョイント送信を識別するためのコンピュータ実行可能コードを記憶し得る。説明される態様は、ＵＥにおいて、競合ベース媒体上で１つまたは複数のネットワークエンティティからフレームを受信するためのコードを含み、ここにおいて、フレームはプリアンブルを含む。説明される態様は、プリアンブルに基づいて、フレームがユニキャスト送信に対応するのかジョイント送信に対応するのかを決定するためのコードをさらに含む。
【００１１】
[0011]別の態様では、無認可スペクトルにおけるジョイント送信を識別するための本装置は、ＵＥにおいて、競合ベース媒体上で１つまたは複数のネットワークエンティティからフレームを受信するための手段を含み得、ここにおいて、フレームはプリアンブルを含む。説明される態様は、プリアンブルに基づいて、フレームがユニキャスト送信に対応するのかジョイント送信に対応するのかを決定するための手段をさらに含む。
【００１２】
[0012]別の態様によれば、無認可スペクトルにおけるジョイント送信を識別するための本方法が提供される。説明される態様は、ネットワークエンティティにおいて、フレームがユニキャスト送信に対応するのかジョイント送信に対応するのかを決定することを含む。説明される態様は、競合ベース媒体上で、プリアンブルをもつフレームをＵＥに送信することをさらに含み、プリアンブルは、フレームがユニキャスト送信に対応するのかジョイント送信に対応するのかを決定することに基づく。
【００１３】
[0013]別の態様では、無認可スペクトルにおけるジョイント送信を識別するための本装置は、命令を記憶するように構成されたメモリと、メモリに通信可能に結合された１つまたは複数のプロセッサとを含み得、ここにおいて、１つまたは複数のプロセッサおよびメモリは、ネットワークエンティティにおいて、フレームがユニキャスト送信に対応するのかジョイント送信に対応するのかを決定するように構成される。説明される態様は、競合ベース媒体上で、プリアンブルをもつフレームをＵＥに送信するをさらに含み、プリアンブルは、フレームがユニキャスト送信に対応するのかジョイント送信に対応するのかを決定することに基づく。
【００１４】
[0014]別の態様では、本コンピュータ可読媒体は、無認可スペクトルにおけるジョイント送信を識別するためのコンピュータ実行可能コードを記憶し得る。説明される態様は、ネットワークエンティティにおいて、フレームがユニキャスト送信に対応するのかジョイント送信に対応するのかを決定するためのコードを含む。説明される態様は、競合ベース媒体上で、プリアンブルをもつフレームをＵＥに送信するためのコードをさらに含み、プリアンブルは、フレームがユニキャスト送信に対応するのかジョイント送信に対応するのかを決定することに基づく。
【００１５】
[0015]別の態様では、無認可スペクトルにおけるジョイント送信を識別するための本装置は、ネットワークエンティティにおいて、フレームがユニキャスト送信に対応するのかジョイント送信に対応するのかを決定するための手段を含み得る。説明される態様は、競合ベース媒体上で、プリアンブルをもつフレームをＵＥに送信するための手段をさらに含み、プリアンブルは、フレームがユニキャスト送信に対応するのかジョイント送信に対応するのかを決定することに基づく。
【００１６】
[0016]本開示の様々な態様および特徴が、添付の図面に示されているそれらの様々な例を参照しながら以下でさらに詳細に説明される。本開示が様々な例を参照しながら以下で説明されるが、本開示はそれに制限されないことを理解されたい。本明細書の教示へのアクセスを有する当業者は、追加の実装形態、変更形態、および例、ならびに本明細書で説明される本開示の範囲内に入り、それに関して本開示が著しく有用であり得る他の使用分野を認識されよう。
【００１７】
[0017]本開示の特徴、性質、および利点は、全体を通じて同様の参照符号が同様のものを指し、ここで、破線が随意の構成要素またはアクションを示し得る、図面とともに、以下に記載される発明を実施するための形態を読めばより明らかになろう。
【図面の簡単な説明】
【００１８】
【図１】[0018]本明細書で説明される態様による、電気通信システムの一例を概念的に示すブロック図。
【図２】[0019]アクセスネットワークの一例を示す図。
【図３】[0020]アクセスネットワーク中の発展型ノードＢおよびユーザ機器の一例を示す図。
【図４Ａ】[0021]本開示の様々な態様による、通信システムのいくつかの例示的な態様の簡略ブロック図。
【図４Ｂ】本開示の様々な態様による、通信システムのいくつかの例示的な態様の簡略ブロック図。
【図５】[0022]本開示の様々な態様による、競合ベース媒体上のプリアンブル送信のための例示的なフレーム構造を示す図。
【図６】[0023]本開示の様々な態様による、ワイヤレス通信中に無認可スペクトルにおけるジョイント送信を識別する例示的な方法を示す流れ図。
【図７】[0024]本開示の様々な態様による、ワイヤレス通信中に無認可スペクトルにおけるジョイント送信を識別する例示的な方法を示す別の流れ図。
【図８】[0025]本開示の様々な態様による、フレーム識別構成要素を含む、例示的な装置中の異なる手段／構成要素間のデータフローを示す概念データフロー図。
【図９】[0026]本開示の様々な態様による、フレーム識別構成要素を含む、処理システムを採用する装置のためのハードウェア実装形態の一例を示す図。
【図１０】[0027]本開示の様々な態様による、フレーム識別構成要素を含む、例示的な装置中の異なる手段／構成要素間のデータフローを示す概念データフロー図。
【図１１】[0028]本開示の様々な態様による、フレーム識別構成要素を含む、処理システムを採用する装置のためのハードウェア実装形態の一例を示す図。
【発明を実施するための形態】
【００１９】
[0029]添付の図面に関して以下に記載される発明を実施するための形態は、様々な構成を説明するものであり、本明細書で説明される概念が実施され得るのはこれらの構成においてのみであることを表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの事例では、そのような概念を不明瞭にしないように、よく知られている構成要素がブロック図の形式で示される。一態様では、本明細書で使用される「構成要素」という用語は、システムを構成する部分のうちの１つであり得、ハードウェアまたはソフトウェアであり得、他の構成要素に分割され得る。
【００２０】
[0030]本態様は、一般に、ワイヤレス通信中に無認可スペクトルにおけるジョイント送信を識別することに関する。特に、たとえば、プリアンブル（たとえば、チャネル使用ビーコン信号（ＣＵＢＳ）またはセル固有基準信号（ＣＲＳ）、および／あるいは物理フレームフォーマットインジケータチャネル（ＰＦＦＩＣＨ）または現在のフレームフォーマットを示す共通ＰＤＣＣＨ）が、データ送信の開始を示すために使用され得、したがって、ＵＥは、サービングセルとして働くネットワークエンティティからのプリアンブルを探索するように構成され得る。一態様では、プリアンブル検出は、許可を監視することよりも少ない電力を消費する。プリアンブルは、トーンマッピングがパブリックランドモバイルネットワーク（ＰＬＭＮ）識別情報（ＩＤ）の関数であり、シーケンス生成がＰＬＭＮ  ＩＤとセルＩＤの両方の関数である様式で構成され得る。セル固有識別子をもつプリアンブルは、セル固有送信（たとえば、ユニキャスト送信）に好適であり得るが、それらは、ＣｏＭＰおよび／またはＭＢＳＦＮなど、ジョイント送信を用いた利得を活用することが可能でないことがある。複数のセルが同じデータを送信する場合でも、それらの対応するプリアンブルは他セル干渉を受け得、したがって、ジョイント送信利得から恩恵を受けることができない。ユニキャスト送信（たとえば、セル固有送信）の場合、サービングセルのセルＩＤ固有シーケンスが、セル収集を通して、あらかじめＵＥにとって利用可能にされるので、ＵＥは、サービングセルによって送信されたプリアンブルを容易に探索し得る。しかしながら、プリアンブルが追加の識別子を用いてスクランブルされ、プリアンブルがそれの中で送信される各フレームは、特定の送信タイプ（たとえば、ユニキャスト、ＣｏＭＰ、またはＭＢＳＦＮ）で専用化されるので、ＵＥは、ジョイント送信に対応するプリアンブルを探索することが可能でないことがある。したがって、いくつかの態様では、ユニキャストモードで動作するＵＥは、ジョイント送信に対応するプリアンブルを探索することができないことがある。
【００２１】
[0031]したがって、いくつかの態様では、本方法および本装置は、ワイヤレス通信中に無認可スペクトルにおけるジョイント送信を識別することによって、現在のソリューションと比較して効率的なソリューションを提供し得る。言い換えれば、本態様では、ＵＥは、送信がユニキャスト送信に対応するのかジョイント送信に対応するのかを決定し得る。したがって、本態様は、ＵＥにおいて、競合ベース媒体上で１つまたは複数のネットワークエンティティからフレームを受信することと、ここにおいて、フレームはプリアンブルを含む、プリアンブルに基づいて（たとえば、プリアンブルスクランブリングに基づいて）、フレームがユニキャスト送信に対応するのかジョイント送信に対応するのかを決定することとを行うための１つまたは複数の機構を提供する。その上、本態様はまた、ネットワークエンティティにおいて、フレームがユニキャスト送信に対応するのかジョイント送信に対応するのかを決定することと、競合ベース媒体上で、プリアンブルをもつフレームをＵＥに送信することとを行うための１つまたは複数の機構を提供し得、ここで、プリアンブル（たとえば、プリアンブルスクランブリングおよび／またはトーンマッピング）は、フレームがユニキャスト送信に対応するのかジョイント送信に対応するのかを決定することに基づく。
【００２２】
[0032]特定の開示される態様を対象とする以下の説明および関連する図面において、本開示の態様が提供される。本開示の範囲から逸脱することなく、代替態様が考案され得る。さらに、より関連する詳細を不明瞭にしないように、本開示のよく知られている態様は詳細に説明されないことがあるか、または省略されることがある。さらに、多くの態様が、たとえば、コンピューティングデバイスの要素によって実施されるべき一連のアクションに関して説明される。本明細書で説明される様々なアクションは、特定の回路（たとえば、特定用途向け集積回路（ＡＳＩＣ））によって、１つまたは複数のプロセッサによって実行されるプログラム命令によって、あるいは両方の組合せによって実施され得ることを認識されよう。さらに、本明細書で説明されるこれらの一連のアクションは、実行時に、関連するプロセッサに本明細書で説明される機能を実施させるコンピュータ命令の対応するセットを記憶した任意の形態のコンピュータ可読記憶媒体内で全体として実施されるべきものと見なされ得る。したがって、本開示の様々な態様は、すべてが請求する主題の範囲内に入ることが企図されているいくつかの異なる形態で実施され得る。さらに、本明細書で説明される態様の各々について、任意のそのような態様の対応する形式は、本明細書では、たとえば、説明されるアクションを実施する「ように構成された論理」として説明されることがある。
【００２３】
[0033]最初に図１を参照すると、図は、本明細書で説明される態様による、ワイヤレス通信システム１００の一例を示す。ワイヤレス通信システム１００は、複数の基地局（たとえば、ｅＮＢ、ＷＬＡＮアクセスポイント、または他のアクセスポイント）１０５と、いくつかのユーザ機器（ＵＥ）１１５と、コアネットワーク１３７とを含む。１つまたは複数のＵＥ１１５は、無認可スペクトルにおけるジョイント送信を識別するように構成されたフレーム識別構成要素１３０（たとえば、図４Ａ参照）を含み得る。同様に、１つまたは複数の基地局１０５は、無認可スペクトルにおけるジョイント送信を識別するように構成されたフレーム識別構成要素１４０（たとえば、図４Ｂ参照）を含み得る。一態様では、フレーム識別構成要素１３０／１４０は、ＵＥ１１５などのＵＥがユニキャストモードで動作しているときでも、ジョイント送信に対応するプリアンブルを探索し得る。プリアンブルは、追加の識別子を用いてスクランブルされ、プリアンブルがそれの中で送信される各フレームは、特定の送信タイプ（たとえば、ユニキャスト、ＣｏＭＰ、またはＭＢＳＦＮ）で専用化される。
【００２４】
[0034]したがって、たとえば、ＵＥ１１５は、直接メッセージベース通信を使用して、（たとえば、リソースをスケジュールするために基地局１０５の支援を用いてまたは用いずに）互いと通信し得る。基地局１０５のうちのいくつかは、様々な例ではコアネットワーク１３７またはいくつかの基地局１０５（たとえば、ｅＮＢ）の一部であり得る、基地局コントローラ（図示せず）の制御下でＵＥ１１５と通信し得る。基地局１０５は、バックホールリンク１２６を通してコアネットワーク１３７と制御情報および／またはユーザデータを通信し得る。例では、基地局１０５は、ワイヤードまたはワイヤレス通信リンクであり得るバックホールリンク１２７を介して、直接的または間接的のいずれかで、互いと通信し得る。ワイヤレス通信システム１００は、複数のキャリア（異なる周波数の波形信号）上での動作をサポートし得る。マルチキャリア送信機は、複数のキャリア上で同時に被変調信号を送信することができる。たとえば、通信リンク１２５の各々は、上記で説明された様々な無線技術に従って変調されたマルチキャリア信号であり得る。各被変調信号は、異なるキャリア上で送られ得、制御情報（たとえば、基準信号、制御チャネルなど）、オーバーヘッド情報、データなどを搬送し得る。
【００２５】
[0035]基地局１０５は、１つまたは複数の基地局アンテナを介してＵＥ１１５とワイヤレス通信し得る。基地局１０５のサイトの各々は、それぞれのカバレージエリア１１０に通信カバレージを提供し得る。いくつかの例では、基地局１０５は、基地トランシーバ局、無線基地局、無線トランシーバ、基本サービスセット（ＢＳＳ）、拡張サービスセット（ＥＳＳ）、ノードＢ、ｅノードＢ、ホームノードＢ、ホームｅノードＢ、または何らかの他の好適な用語で呼ばれることがある。基地局のためのカバレージエリア１１０は、カバレージエリアの一部分のみを構成するセクタに分割され得る（図示せず）。ワイヤレス通信システム１００は、異なるタイプの基地局１０５（たとえば、マクロ基地局、マイクロ基地局、および／またはピコ基地局）を含み得る。基地局１０５はまた、セルラーおよび／またはＷＬＡＮ無線アクセス技術（ＲＡＴ）など、異なる無線技術を利用し得る。基地局１０５は同じまたは異なるアクセスネットワークまたは事業者展開に関連し得る。同じまたは異なるタイプの基地局１０５のカバレージエリアを含むか、同じまたは異なる無線技術を利用するか、および／あるいは同じまたは異なるアクセスネットワークに属する、異なる基地局１０５のカバレージエリアは重複し得る。
【００２６】
[0036]ＬＴＥ／ＬＴＥアドバンスト（ＬＴＥ−Ａ）では、たとえば、発展型ノードＢ（ｅノードＢまたはｅＮＢ）という用語は、概して、基地局１０５を記述するために使用され得る。ワイヤレス通信システム１００は、異なるタイプのアクセスポイントが様々な地理的領域にカバレージを与える、異種ＬＴＥ／ＬＴＥ−Ａネットワークであり得る。たとえば、各基地局１０５は、マクロセル、ピコセル、フェムトセル、および／または他のタイプのセルに通信カバレージを与え得る。ピコセル、フェムトセル、および／または他のタイプのセルなどのスモールセルは低電力ノードまたはＬＰＮを含み得る。マクロセルは、概して、比較的大きい地理的エリア（たとえば、半径数キロメートル）をカバーし、ネットワークプロバイダのサービスに加入しているＵＥ１１５による無制限アクセスを可能にし得る。スモールセルは、概して、比較的より小さい地理的エリアをカバーすることになり、たとえば、ネットワークプロバイダのサービスに加入しているＵＥ１１５による無制限アクセスを可能にし得、無制限アクセスに加えて、スモールセルとの関連を有するＵＥ１１５（たとえば、限定加入者グループ（ＣＳＧ：closed subscriber group）中のＵＥ、自宅内のユーザのためのＵＥなど）による制限付きアクセスをも与え得る。マクロセルのためのｅＮＢはマクロｅＮＢと呼ばれることがある。スモールセルのためのｅＮＢはスモールセルｅＮＢと呼ばれることがある。ｅＮＢは、１つまたは複数の（たとえば、２つ、３つ、４つなどの）セルをサポートし得る。
【００２７】
[0037]コアネットワーク１３７は、バックホールリンク１２６（たとえば、Ｓ１インターフェースなど）を介してｅＮＢまたは他の基地局１０５と通信し得る。基地局１０５はまた、たとえば、バックホールリンク１２７（たとえば、Ｘ２インターフェースなど）を介して、および／またはバックホールリンク１２６を介して（たとえば、コアネットワーク１３７を通して）直接または間接的に、互いと通信し得る。ワイヤレス通信システム１００は、同期動作または非同期動作をサポートし得る。同期動作の場合、基地局１０５は同様のフレームタイミングを有し得、異なる基地局１０５からの送信は時間的に近似的に整合され得る。非同期動作の場合、基地局１０５は異なるフレームタイミングを有し得、異なる基地局１０５からの送信は時間的に整合されないことがある。本明細書で説明される技法は、同期動作または非同期動作のいずれかのために使用され得る。
【００２８】
[0038]ＵＥ１１５はワイヤレス通信システム１００全体にわたって分散され、各ＵＥ１１５は固定式または移動可能であり得る。ＵＥ１１５は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、時計または眼鏡などのウェアラブルアイテム、ワイヤレスローカルループ（ＷＬＬ）局、車両ベースＵＥなどであり得る。ＵＥ１１５は、マクロｅノードＢ、スモールセルｅノードＢ、リレーなどと通信することが可能であり得る。ＵＥ１１５はまた、セルラーまたは他のＷＷＡＮアクセスネットワーク、あるいはＷＬＡＮアクセスネットワークなど、異なるアクセスネットワーク上で通信することが可能であり得る。
【００２９】
[0039]ワイヤレス通信システム１００に示されている通信リンク１２５は、ＵＥ１１５から基地局１０５へのアップリンク（ＵＬ）送信、および／または基地局１０５からＵＥ１１５へのダウンリンク（ＤＬ）送信を含み得る。ダウンリンク送信は順方向リンク送信と呼ばれることもあり、アップリンク送信は逆方向リンク送信と呼ばれることもある。ＵＥ１１５は、たとえば、多入力多出力（ＭＩＭＯ）、キャリアアグリゲーション（ＣＡ）、多地点協調（ＣｏＭＰ）、多重接続性、または他の方式を通して、複数の基地局１０５と共同的に通信するように構成され得る。ＭＩＭＯ技法は、複数のデータストリームを送信するために、基地局１０５上の複数のアンテナおよび／またはＵＥ１１５上の複数のアンテナを使用する。
【００３０】
[0040]図２は、ＬＴＥネットワークアーキテクチャまたは同様のセルラーネットワークアーキテクチャにおけるアクセスネットワーク２００の一例を示す図である。この例では、アクセスネットワーク２００はいくつかのセルラー領域（セル）２０２に分割される。１つまたは複数のより低い電力クラスの基地局２０８は、セル２０２のうちの１つまたは複数と重複するセルラー領域２１０を有し得る。より低い電力クラスの基地局２０８は、フェムトセル（たとえば、ホームｅＮＢ（ＨｅＮＢ））、ピコセル、マイクロセル、またはリモートラジオヘッド（ＲＲＨ）であり得る。マクロ基地局２０４は各々、それぞれのセル２０２に割り当てられ、セル２０２中のすべてのＵＥ２０６にコアネットワーク１３７へのアクセスポイントを与えるように構成される。
【００３１】
[0041]一態様では、１つまたは複数のＵＥ２０６は、無認可スペクトルにおけるジョイント送信を識別するように構成されたフレーム識別構成要素１３０（たとえば、図４Ａ参照）を含み得る。同様に、１つまたは複数の基地局２０４／２０８は、無認可スペクトルにおけるジョイント送信を識別するように構成されたフレーム識別構成要素１４０（たとえば、図４Ｂ参照）を含み得る。アクセスネットワーク２００のこの例には集中型コントローラはないが、代替構成では集中型コントローラが使用され得る。基地局２０４は、無線ベアラ制御、承認制御、モビリティ制御、スケジューリング、セキュリティ、およびコアネットワーク１３７の１つまたは複数の構成要素への接続性を含む、すべての無線関係機能を担当する。
【００３２】
[0042]アクセスネットワーク２００によって採用される変調および多元接続方式は、展開されている特定の電気通信規格に応じて異なり得る。ＬＴＥ適用例では、周波数分割複信（ＦＤＤ）と時分割複信（ＴＤＤ）の両方をサポートするために、ＯＦＤＭがＤＬ上で使用され得、ＳＣ−ＦＤＭＡがＵＬ上で使用され得る。当業者が以下の詳細な説明から容易に諒解するように、本明細書で提示される様々な概念はＬＴＥ適用例に好適である。ただし、これらの概念は、他の変調および多元接続技法を採用する他の電気通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ）に拡張され得る。ＥＶ−ＤＯおよびＵＭＢは、ＣＤＭＡ２０００規格ファミリーの一部として第３世代パートナーシッププロジェクト２（３ＧＰＰ（登録商標）２：3rd Generation Partnership Project 2）によって公表されたエアインターフェース規格であり、移動局にブロードバンドインターネットアクセスを提供するためにＣＤＭＡを採用する。これらの概念はまた、広帯域ＣＤＭＡ（Ｗ−ＣＤＭＡ（登録商標））とＴＤ−ＳＣＤＭＡなどのＣＤＭＡの他の変形態とを採用するユニバーサル地上波無線アクセス（ＵＴＲＡ：Universal Terrestrial Radio Access）、ＴＤＭＡを採用するモバイル通信用グローバルシステム（ＧＳＭ（登録商標）：Global System for Mobile Communications）、ならびに、ＯＦＤＭＡを採用する、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは３ＧＰＰ団体からの文書に記載されている。ＣＤＭＡ２０００およびＵＭＢは３ＧＰＰ２団体からの文書に記載されている。採用される実際のワイヤレス通信規格および多元接続技術は、特定の適用例およびシステムに課される全体的な設計制約に依存することになる。
【００３３】
[0043]基地局２０４は、ＭＩＭＯ技術をサポートする複数のアンテナを有し得る。ＭＩＭＯ技術の使用は、基地局２０４が、空間多重化、ビームフォーミング、および送信ダイバーシティをサポートするために空間領域を活用することを可能にする。空間多重化は、データの異なるストリームを同じ周波数上で同時に送信するために使用され得る。データスチームは、データレートを増加させるために単一のＵＥ２０６に送信されるか、または全体的なシステム容量を増加させるために複数のＵＥ２０６に送信され得る。これは、各データストリームを空間的にプリコーディングし（すなわち、振幅および位相のスケーリングを適用し）、次いでＤＬ上で複数の送信アンテナを通して空間的にプリコーディングされた各ストリームを送信することによって達成される。空間的にプリコーディングされたデータストリームは、異なる空間シグネチャとともに（１つまたは複数の）ＵＥ２０６に到着し、これにより、（１つまたは複数の）ＵＥ２０６の各々は、そのＵＥ２０６に宛てられた１つまたは複数のデータストリームを復元することが可能になる。ＵＬ上で、各ＵＥ２０６は、空間的にプリコーディングされたデータストリームを送信し、これは、基地局２０４が、各空間的にプリコーディングされたデータストリームのソースを識別することを可能にする。
【００３４】
[0044]空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを介した送信のためのデータを空間的にプリコーディングすることによって達成され得る。セルのエッジにおいて良好なカバレージを達成するために、送信ダイバーシティと組み合わせてシングルストリームビームフォーミング送信が使用され得る。
【００３５】
[0045]以下の詳細な説明では、ＤＬ上でＯＦＤＭをサポートするＭＩＭＯシステムを参照しながらアクセスネットワークの様々な態様が説明される。ＯＦＤＭは、ＯＦＤＭシンボル内のいくつかのサブキャリアを介してデータを変調するスペクトル拡散技法である。サブキャリアは正確な周波数で離間される。離間は、受信機がサブキャリアからデータを復元することを可能にする「直交性」を与える。時間領域では、ＯＦＤＭシンボル間干渉をなくすために、ガードインターバル（たとえば、サイクリックプレフィックス）が各ＯＦＤＭシンボルに追加され得る。ＵＬは、高いピーク対平均電力比（ＰＡＰＲ）を補償するために、ＳＣ−ＦＤＭＡをＤＦＴ拡散ＯＦＤＭ信号の形態で使用し得る。
【００３６】
[0046]図３は、アクセスネットワーク中でＵＥ３５０と通信している基地局３１０のブロック図である。ＤＬでは、コアネットワークからの上位レイヤパケットがコントローラ／プロセッサ３７５に与えられる。コントローラ／プロセッサ３７５はＬ２レイヤの機能を実装する。ＤＬでは、コントローラ／プロセッサ３７５は、様々な優先度メトリックに基づいて、ヘッダ圧縮と、暗号化と、パケットのセグメンテーションおよび並べ替えと、論理チャネルとトランスポートチャネルとの間の多重化と、ＵＥ３５０への無線リソース割振りとを行う。コントローラ／プロセッサ３７５はまた、ＨＡＲＱ動作と、紛失パケットの再送信と、ＵＥ３５０へのシグナリングとを担当する。
【００３７】
[0047]送信（ＴＸ）プロセッサ３１６は、Ｌ１レイヤ（すなわち、物理レイヤ）のための様々な信号処理機能を実装する。信号処理機能は、ＵＥ３５０における前方誤り訂正（ＦＥＣ：forward error correction）と、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づく信号コンスタレーションへのマッピングとを可能にするために、コーディングとインターリービングとを含む。コーディングされ、変調されたシンボルは、次いで並列ストリームに分割される。各ストリームは、次いで、時間領域ＯＦＤＭシンボルストリームを搬送する物理チャネルを生成するために、ＯＦＤＭサブキャリアにマッピングされ、時間領域および／または周波数領域中で基準信号（たとえば、パイロット）と多重化され、次いで逆高速フーリエ変換（ＩＦＦＴ）を使用して互いに合成される。ＯＦＤＭストリームは、複数の空間ストリームを生成するために空間的にプリコーディングされる。チャネル推定器３７４からのチャネル推定値は、コーディングおよび変調方式を決定するために、ならびに空間処理のために使用され得る。チャネル推定値は、ＵＥ３５０によって送信される基準信号および／またはチャネル状態フィードバックから導出され得る。各空間ストリームは、次いで、別個の送信機３１８ＴＸを介して異なるアンテナ３２０に与えられる。各送信機３１８ＴＸは、送信のためにそれぞれの空間ストリームでＲＦキャリアを変調する。さらに、基地局３１０は、無認可スペクトルにおけるジョイント送信を識別するように構成されたフレーム識別構成要素１４０（たとえば、図４Ｂ参照）を含み得る。フレーム識別構成要素１４０はコントローラ／プロセッサ３７５に結合されるものとして示されているが、フレーム識別構成要素１４０はまた、他のプロセッサ（たとえば、ＲＸプロセッサ３７０、ＴＸプロセッサ３１６など）に結合され、および／または本明細書で説明されるアクションを実施するように１つまたは複数のプロセッサ３１６、３７０、３７５によって実装され得ることを諒解されたい。さらに、たとえば、フレーム識別構成要素１４０は、限定はしないが、プロセッサ３１６、３７０、および／または３７５を含む、プロセッサのうちのいずれか１つまたは複数によって実装され得る。同様に、フレーム識別構成要素１３０は、限定はしないが、プロセッサ３５６、３５９、および／または３６８を含む、プロセッサのうちのいずれか１つまたは複数によって実装され得る。
【００３８】
[0048]ＵＥ３５０において、各受信機３５４ＲＸは、それのそれぞれのアンテナ３５２を通して信号を受信する。各受信機３５４ＲＸは、ＲＦキャリア上に変調された情報を復元し、その情報を受信（ＲＸ）プロセッサ３５６に与える。ＲＸプロセッサ３５６は、Ｌ１レイヤの様々な信号処理機能を実装する。ＲＸプロセッサ３５６は、ＵＥ３５０に宛てられた任意の空間ストリームを復元するために、情報に対して空間処理を実施する。複数の空間ストリームがＵＥ３５０に宛てられた場合、それらはＲＸプロセッサ３５６によって単一のＯＦＤＭシンボルストリームに合成され得る。ＲＸプロセッサ３５６は、次いで高速フーリエ変換（ＦＦＴ）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと、基準信号とは、基地局３１０によって送信された可能性が最も高い信号コンスタレーションポイントを決定することによって復元され、復調される。これらの軟判定は、チャネル推定器３５８によって計算されるチャネル推定値に基づき得る。軟判定は、次いで、物理チャネル上で基地局３１０によって最初に送信されたデータと制御信号とを復元するために復号され、デインターリーブされる。データおよび制御信号は、次いで、コントローラ／プロセッサ３５９に与えられる。
【００３９】
[0049]コントローラ／プロセッサ３５９はＬ２レイヤを実装する。コントローラ／プロセッサは、プログラムコードとデータとを記憶するメモリ３６０に関連し得る。メモリ３６０はコンピュータ可読媒体と呼ばれることがある。ＵＬでは、コントローラ／プロセッサ３５９は、コアネットワークからの上位レイヤパケットを復元するために、トランスポートチャネルと論理チャネルとの間の多重分離と、パケットリアセンブリと、解読と、ヘッダ復元と、制御信号処理とを行う。上位レイヤパケットは、次いで、Ｌ２レイヤの上のすべてのプロトコルレイヤを表す、データシンク３６２に与えられる。また、様々な制御信号が、Ｌ３処理のためにデータシンク３６２に与えられ得る。コントローラ／プロセッサ３５９はまた、ＨＡＲＱ動作をサポートするために肯定応答（ＡＣＫ）および／または否定応答（ＮＡＣＫ）プロトコルを使用した誤り検出を担当する。さらに、ＵＥ３５０は、無認可スペクトルにおけるジョイント送信を識別するように構成されたフレーム識別構成要素１３０（たとえば、図４Ａ参照）を含み得る。フレーム識別構成要素１３０はコントローラ／プロセッサ３５９に結合されるものとして示されているが、通信構成要素４６１はまた、他のプロセッサ（たとえば、ＲＸプロセッサ３５６、ＴＸプロセッサ３６８など）に結合され、および／または本明細書で説明されるアクションを実施するように１つまたは複数のプロセッサ３５６、３５９、３６８によって実装され得ることを諒解されたい。
【００４０】
[0050]ＵＬでは、データソース３６７は、コントローラ／プロセッサ３５９に上位レイヤパケットを与えるために使用される。データソース３６７は、Ｌ２レイヤの上のすべてのプロトコルレイヤを表す。基地局３１０によるＤＬ送信に関して説明された機能と同様に、コントローラ／プロセッサ３５９は、ヘッダ圧縮と、暗号化と、パケットのセグメンテーションおよび並べ替えと、基地局３１０による無線リソース割振りに基づく論理チャネルとトランスポートチャネルとの間の多重化とを行うことによって、ユーザプレーンおよび制御プレーンのためのＬ２レイヤを実装する。コントローラ／プロセッサ３５９はまた、ＨＡＲＱ動作と、紛失パケットの再送信と、基地局３１０へのシグナリングとを担当する。
【００４１】
[0051]基地局３１０によって送信された基準信号またはフィードバックからの、チャネル推定器３５８によって導出されるチャネル推定値は、適切なコーディングおよび変調方式を選択することと、空間処理を可能にすることとを行うために、ＴＸプロセッサ３６８によって使用され得る。ＴＸプロセッサ３６８によって生成される空間ストリームは、別個の送信機３５４ＴＸを介して異なるアンテナ３５２に与えられる。各送信機３５４ＴＸは、送信のためにそれぞれの空間ストリームでＲＦキャリアを変調する。
【００４２】
[0052]ＵＬ送信は、ＵＥ３５０における受信機機能に関して説明された様式と同様の様式で基地局３１０において処理される。各受信機３１８ＲＸは、それのそれぞれのアンテナ３２０を通して信号を受信する。各受信機３１８ＲＸは、ＲＦキャリア上に変調された情報を復元し、その情報をＲＸプロセッサ３７０に与える。ＲＸプロセッサ３７０はＬ１レイヤを実装し得る。
【００４３】
[0053]コントローラ／プロセッサ３７５はＬ２レイヤを実装する。コントローラ／プロセッサ３７５は、プログラムコードとデータとを記憶するメモリ３７６に関連し得る。メモリ３７６はコンピュータ可読媒体と呼ばれることがある。ＵＬでは、コントローラ／プロセッサ３７５は、ＵＥ３５０からの上位レイヤパケットを復元するために、トランスポートチャネルと論理チャネルとの間の多重分離と、パケットリアセンブリと、解読と、ヘッダ復元と、制御信号処理とを行う。コントローラ／プロセッサ３７５からの上位レイヤパケットはコアネットワークに与えられ得る。コントローラ／プロセッサ３７５はまた、ＨＡＲＱ動作をサポートするためにＡＣＫおよび／またはＮＡＣＫプロトコルを使用した誤り検出を担当する。
【００４４】
[0054]図４Ａ４Ａおよび図４Ｂ４Ｂを参照すると、一態様では、ワイヤレス通信システム４００が、少なくともネットワークエンティティ１０５−ａおよび１０５−ｂの通信カバレージ中に、ＵＥ１１５（図１）、ＵＥ２０６（図２）、および／またはＵＥ３５０（図３）と同様の、少なくとも１つのＵＥ１１５を含む。ＵＥ１１５は、ネットワークエンティティ１０５−ｂおよび／またはネットワークエンティティ１０５−ａを介してネットワークと通信し得る。一例では、ＵＥ１１５は、限定はしないが、アップリンクデータチャネルおよび／またはダウンリンクデータチャネルなど、アップリンク通信チャネル（または単にアップリンクチャネル）とダウンリンク通信チャネル（または単にダウンリンクチャネル）とを含み得る、１つまたは複数の通信チャネル１２５−ａ、１２５−ｂを介して、ネットワークエンティティ１０５−ａ、１０５−ｂに、および／またはそれらから、ワイヤレス通信を送信および／または受信し得る。そのようなワイヤレス通信は、限定はしないが、データ、オーディオおよび／またはビデオ情報を含み得る。
【００４５】
[0055]図４Ａを参照すると、本開示によれば、ＵＥ１１５は、メモリ４４と、１つまたは複数のプロセッサ２０と、トランシーバ６０とを含み得る。メモリと、１つまたは複数のプロセッサ２０と、トランシーバ６０とは、バス１１を介して内部で通信し得る。いくつかの例では、メモリ４４と１つまたは複数のプロセッサ２０とは、同じハードウェア構成要素の一部であり得る（たとえば、同じボード、モジュール、または集積回路の一部であり得る）。代替的に、メモリ４４と１つまたは複数のプロセッサ２０とは、互いと連携して働き得る別個の構成要素であり得る。いくつかの態様では、バス１１は、ＵＥ１１５の複数の構成要素および副構成要素間でデータを転送する通信システムであり得る。いくつかの例では、１つまたは複数のプロセッサ２０は、モデムプロセッサ、ベースバンドプロセッサ、デジタル信号プロセッサおよび／または送信プロセッサのうちのいずれか１つまたはそれらの組合せを含み得る。追加または代替として、１つまたは複数のプロセッサ２０は、本明細書で説明される１つまたは複数の方法またはプロシージャを行うためのフレーム識別構成要素１３０を含み得る。フレーム識別構成要素１３０は、ハードウェア、ファームウェア、および／またはソフトウェアを備え得、メモリ（たとえば、コンピュータ可読記憶媒体）に記憶された、コードを実行するかまたは命令を実施するように構成され得る。
【００４６】
[0056]いくつかの例では、ＵＥ１１５は、本明細書で使用されるデータ、ならびに／あるいはアプリケーションのローカルバージョン、あるいは１つまたは複数のプロセッサ２０によって実行されているフレーム識別構成要素１３０および／またはそれの副構成要素のうちの１つまたは複数との通信を記憶するためなどのメモリ４４を含み得る。メモリ４４は、ランダムアクセスメモリ（ＲＡＭ）、読取り専用メモリ（ＲＯＭ）、テープ、磁気ディスク、光ディスク、揮発性メモリ、不揮発性メモリ、およびそれらの任意の組合せなど、コンピュータまたはプロセッサ２０によって使用可能な任意のタイプのコンピュータ可読媒体を含むことができる。一態様では、たとえば、ＵＥ１１５がフレーム識別構成要素１３０および／またはそれの副構成要素のうちの１つまたは複数を実行するようにプロセッサ２０を動作させているとき、メモリ４４は、フレーム識別構成要素１３０および／またはそれの副構成要素のうちの１つまたは複数を定義する１つまたは複数のコンピュータ実行可能コード、ならびに／あるいはそれに関連するデータを記憶するコンピュータ可読記憶媒体（たとえば、非一時的媒体）であり得る。いくつかの例では、ＵＥ１１５は、ネットワークエンティティ１０５−ａおよび／または１０５−ｂを介して、ネットワークに／から１つまたは複数のデータおよび制御信号を送信および／または受信するためのトランシーバ６０をさらに含み得る。トランシーバ６０は、ハードウェア、ファームウェア、および／またはソフトウェアを備え得、メモリ（たとえば、コンピュータ可読記憶媒体）に記憶された、コードを実行するかまたは命令を実施するように構成され得る。トランシーバ６０は、モデム１６５を備える第１のＲＡＴ無線機１６０と、モデム１７５を備える第２のＲＡＴ無線機１７０（たとえば、ＬＴＥ無線機）とを含み得る。第１のＲＡＴ無線機１６０および第２のＲＡＴ無線機１７０は、ネットワークエンティティ１０５−ａおよび／または１０５−ｂに信号を送信するための、およびそれらから信号を受信するための１つまたは複数のアンテナ６４を利用し得る。一例では、第１のＲＡＴ無線機１６０は、ワイヤレスローカルエリアネットワーク（ＷＬＡＮ）に関連し得、第２のＲＡＴ無線機１７０は、無認可スペクトル上でのワイヤレスワイドエリアネットワーク（ＷＷＡＮ）に関連し得る。
【００４７】
[0057]ＵＥ１１５（またはシステム４００中の他のデバイス）が所与のリソース上で通信するために第１のＲＡＴを使用するとき、この通信は、そのリソース上で通信するために第２のＲＡＴを使用する近くのデバイスからの干渉を受けることがある。たとえば、特定の無認可ＲＦ帯域上での第２のＲＡＴ無線機１７０を使用するＬＴＥを介したＵＥ１１５による通信は、その帯域上で動作しているＷｉ−Ｆｉデバイスからの干渉を受けることがある。便宜上、無認可ＲＦ帯域上のＬＴＥは、本明細書では、無認可スペクトルにおけるＬＴＥ／ＬＴＥアドバンスト、または周囲のコンテキストにおいて単にＬＴＥと呼ばれることがある。
【００４８】
[0058]ネットワークエンティティ１０５−ｂ（および／またはネットワークエンティティ１０５−ａ）がダウンリンク送信をＵＥ１１５に送るとき、ダウンリンク周波数帯域上の割り当てられたリソースが利用される。たとえば、無認可ＲＦ帯域において動作するネットワークエンティティ１０５−ｂは、ダウンリンクデータ送信が送られ得る、ＲＢのインターレースを割り当てられ得る。競合ベースダウンリンクチャネル中で他のアクセスポイントとの衝突を回避するために、ネットワークエンティティ１０５−ｂは、プリアンブルを送り得る。便宜上、無認可ＲＦ帯域上のＬＴＥは、本明細書では、無認可スペクトルにおけるＬＴＥ／ＬＴＥアドバンスト、または周囲のコンテキストにおいて単にＬＴＥと呼ばれることがある。その上、無認可スペクトル上で動作するＬＴＥが、共有媒体を使用する競合ベース通信システム中で動作するために、ＬＴＥの使用または変更を参照し得る。
【００４９】
[0059]いくつかのシステムでは、無認可スペクトルにおけるＬＴＥは、すべてのキャリアがワイヤレススペクトルの無認可部分で排他的に動作する、スタンドアロン構成で採用され得る（たとえば、ＬＴＥスタンドアロン）。他のシステムでは、無認可スペクトルにおけるＬＴＥは、ワイヤレススペクトルの認可部分で動作するアンカー認可キャリアと併せて、ワイヤレススペクトルの無認可部分で動作する１つまたは複数の無認可キャリアを与えることによって、認可帯域動作を補足する様式で採用され得る（たとえば、ＬＴＥ補足ダウンリンク（ＳＤＬ：Supplemental DownLink））。いずれの場合も、１つのキャリアが、対応するＵＥのために１次セル（ＰＣｅｌｌ）として働き（たとえば、ＬＴＥ  ＳＤＬにおけるアンカー認可キャリア、またはＬＴＥスタンドアロンにおける無認可キャリアのうちの指定されたキャリア）、残りのキャリアがそれぞれの２次セル（ＳＣｅｌｌ）として働く、異なるコンポーネントキャリアを管理するために、キャリアアグリゲーションが採用され得る。このようにして、ＰＣｅｌｌは、ＦＤＤのペアのダウンリンクおよびアップリンク（認可または無認可）を与え得、各ＳＣｅｌｌは、必要に応じて、追加のダウンリンク容量を与え得る。
【００５０】
[0060]概して、ＬＴＥは、ダウンリンク上では直交周波数分割多重化（ＯＦＤＭ）を利用し、アップリンク上ではシングルキャリア周波数分割多重化（ＳＣ−ＦＤＭ）を利用する。ＯＦＤＭおよびＳＣ−ＦＤＭは、システム帯域幅を、一般にトーン、ビンなどとも呼ばれる複数（Ｋ）個の直交サブキャリアに区分する。各サブキャリアはデータで変調され得る。概して、変調シンボルは、ＯＦＤＭでは周波数領域で、ＳＣ−ＦＤＭでは時間領域で送られる。隣接するサブキャリア間の間隔は固定であり得、サブキャリアの総数（Ｋ）はシステム帯域幅に依存し得る。たとえば、Ｋは、１．２５、２．５、５、１０または２０メガヘルツ（ＭＨｚ）のシステム帯域幅に対してそれぞれ１２８、２５６、５１２、１０２４または２０４８に等しくなり得る。システム帯域幅はまた、サブバンドに区分され得る。たとえば、サブバンドは１．０８ＭＨｚをカバーし得、１．２５、２．５、５、１０または２０ＭＨｚのシステム帯域幅に対してそれぞれ１、２、４、８または１６個のサブバンドがあり得る。
【００５１】
[0061]ＬＴＥは、キャリアアグリゲーションをも使用し得る。ＵＥ（たとえば、ＬＴＥアドバンスト対応ＵＥ）は、送信および受信のために使用される最高合計１００ＭＨｚ（５つのコンポーネントキャリア）のキャリアアグリゲーションにおいて割り振られた、最高２０ＭＨｚ帯域幅のスペクトルを使用し得る。ＬＴＥアドバンスト対応ワイヤレス通信システムのために、２つのタイプのキャリアアグリゲーション（ＣＡ）方法、すなわち、連続ＣＡおよび非連続ＣＡが提案されている。連続ＣＡは、複数の利用可能なコンポーネントキャリアが互いに隣接するときに生じる。一方、非連続ＣＡは、複数の隣接しない利用可能なコンポーネントキャリアが周波数帯域に沿って分離されたときに生じる。非連続ＣＡと連続ＣＡの両方が、ＬＴＥアドバンストＵＥの単一ユニットにサービスするために複数のコンポーネントキャリアをアグリゲートし得る。
【００５２】
[0062]システム４００などのブレンドされた無線環境では、異なるＲＡＴが、異なる時間に異なるチャネルを利用し得る。異なるＲＡＴがスペクトルを共有し、部分的に他のＲＡＴとは無関係に動作しているので、１つのチャネルへのアクセスは、別のチャネルへのアクセスを意味しないことがある。したがって、複数のチャネルを使用して送信することができるデバイスは、送信する前に、各チャネルが利用可能であるかどうかを決定する必要があり得る。帯域幅およびスループットを増大させるために、いくつかの状況では、現在利用可能な（１つまたは複数の）チャネルを使用して送信するよりも、追加のチャネルが利用可能になるのを待つことが有利であることがある。
【００５３】
[0063]同様に、図４Ｂに関して、ネットワークエンティティ１０５−ｂは、メモリ４５と、１つまたは複数のプロセッサ２１と、トランシーバ６１とを含み得る。メモリ４５、１つまたは複数のプロセッサ２１およびトランシーバ６１は、図４Ａで説明されたＵＥ１１５のメモリ４４、１つまたは複数のプロセッサ２０およびトランシーバ６０と同じおよび／または同様の様式で動作し得る。さらに、メモリ４５と、１つまたは複数のプロセッサ２１と、トランシーバ６１とは、限定はしないが、モデム１６６をもつ第１のＲＡＴ無線機１６１と、モデム１７６をもつ第２のＲＡＴ無線機１７１と、アンテナ６５とを含む、同じおよび／または同様の構成要素を動作させ得る。その上、メモリ４５と、１つまたは複数のプロセッサ２１と、トランシーバ６１とは、バス１２を介して内部で通信し得る。
【００５４】
[0064]再び図４Ａを参照すると、上述のように、ＵＥ１１５は、ネットワークエンティティ１０５−ａおよび／または１０５−ｂのいずれかまたは両方からの無認可スペクトルにおけるジョイント送信を識別するためのフレーム識別構成要素１３０を含み得る。ジョイント送信を識別することは、ユニキャスト送信とジョイント送信とを識別または区別すること、ならびにジョイント送信のタイプ（たとえば、ＣｏＭＰまたはＭＢＳＦＮ送信）を識別することを伴い得る。フレーム識別構成要素１３０は、無認可スペクトルにおけるジョイント送信を識別するためのハードウェアまたは手段を含み得る。フレーム識別構成要素１３０は、プリアンブル１３２を含み得るフレーム１３１と、決定構成要素１３３とを含み得る。フレーム識別構成要素１３０およびまたは受信機（図示せず）は、競合ベーススペクトル上で１つまたは複数のアクセスポイント（たとえば、ネットワークエンティティ１０５−ａおよび／または１０５−ｂ）からフレーム１３１を受信するように構成され得、フレーム１３１はプリアンブル１３２を含む。決定構成要素１３３は、プリアンブル１３２に基づいて、フレーム１３１がユニキャスト送信１３４に対応するのかジョイント送信１３５に対応するのかを決定し、フレームがジョイント送信１３５である場合、どのタイプのジョイント送信がフレーム１３１に関連するかを決定し得る。たとえば、決定構成要素１３３は、プリアンブル１３２をスクランブルするためにおよび／またはプリアンブル１３２のためのトーンマッピングを取得するために使用される識別子に基づいて、フレームがユニキャスト送信１３４に対応するのかジョイント送信１３５に対応するのかを決定し得る。一態様では、ユニキャストモードで構成されたＵＥ１１５は、セル識別子（ＩＤ）を使用してプリアンブルをデスクランブルするためにおよび／またはセルＩＤを使用してプリアンブルのためのトーンマッピングを抽出するために、デスクランブリング構成要素１３６を実行し得る。さらに、ＣｏＭＰモードで構成されたＵＥ１１５は、セルＩＤと仮想セル識別子とを使用してプリアンブルをデスクランブルするためにおよび／またはそれらのためのトーンマッピングを抽出するために、デスクランブリング構成要素１３６を実行し得る。さらに、ＭＢＳＦＮモードで構成されたＵＥ１１５は、セル識別子とＭＢＳＦＮエリア識別子とを使用してプリアンブルをデスクランブルするためにおよび／またはそれらのためのトーンマッピングを抽出するために、デスクランブリング構成要素１３６を実行し得る。その結果、ユニキャストモードのために構成された、ＵＥ１１５など、ＵＥは、それがジョイント送信を復号しないので、許可を監視する代わりに、プリアンブルの探索によって電力消費を低減し得る。詳細には、ＵＥ１１５は、セル識別子を用いてスクランブルされたプリアンブルを探索し得、これは、許可を監視することよりも少ない電力を消費する。
【００５５】
[0065]さらに、ＵＥ１１５は、仮想セル識別子またはＭＢＳＦＮ識別子のいずれかを用いてスクランブルされたプリアンブルを探索し、プリアンブルが見つけられた場合、スリープモードをトリガし得る。たとえば、ＵＥ１１５がＣｏＭＰモードにあるが、ＭＢＳＦＮ識別子をもつプリアンブル１３２を検出した場合、ＵＥ１１５は、フレームがＭＢＳＦＮ送信に専用であると仮定し得、次のフレームが受信されるまでスリープモードをトリガする。同様に、ＵＥ１１５が、ＭＢＳＦＮ送信のみを監視しているが、ＣｏＭＰモードで構成されず、ＭＢＳＦＮ送信のために構成されない仮想セル識別子をもつプリアンブル１３２を検出した場合、ＵＥ１１５は、次のフレームが受信されるまでスリープモードをトリガし得る。したがって、ＵＥ１１５は、フレームがどんな送信タイプに専用であるかを決定するために、それ自体のプリアンブル１３２を探索するだけでなく、他の可能な識別子をもつプリアンブルをも探索する。ＵＥ１１５は、ネットワークエンティティ１０５−ｂなど、ネットワークエンティティからの１つまたは複数のシステム情報ブロック（ＳＩＢ）を介して、またはＲＲＣ構成メッセージを介して、１つまたは複数の識別子（たとえば、セル識別子、仮想セル識別子、および／またはＭＢＳＦＮ識別子）を受信し得る。その上、ネットワークエンティティ１０５−ｂおよびＵＥ１１５は、フレーム１３１上で、ユニキャスト送信およびジョイント送信（たとえば、ＣｏＭＰまたはＭＢＳＦＮ）の間で時分割多重（ＴＤＭ）動作を実施し得る（たとえば、図２参照）。
【００５６】
[0066]図４Ｂを参照すると、ネットワークエンティティ１０５−ｂは、送信されるべきフレームがジョイント送信に対応するかどうかを識別するためのフレーム識別構成要素１４０を含み得る。フレーム識別構成要素１４０は、（たとえば、競合ベース媒体にアクセスすることによって）無認可または共有スペクトル上で送信されるべきフレーム（たとえば、フレーム１４２）のための送信タイプを識別するためのハードウェアまたは手段を含み得る。フレーム識別構成要素１４０は決定構成要素１４１を含み得る。決定構成要素１４１は、フレーム１４２がユニキャスト送信１４４に対応するのかジョイント送信１４５に対応するのかを決定するためのハードウェアまたは手段を含み得る。一態様では、スクランブリング構成要素１４６は、ユニキャスト送信１４４の場合にセル識別子、ＣｏＭＰなどのジョイント送信１４５の場合に仮想セル識別子、またはＭＢＳＦＮなどのジョイント送信１４５の場合にＭＢＳＦＮ識別子を用いて、プリアンブル１４３を構成し得る。さらに、フレーム識別構成要素１４０は、フレーム１４２がユニキャスト送信１４４に対応するのかジョイント送信１４５に対応するのかを決定することに基づいて、競合ベーススペクトル上で、プリアンブル１４３をもつフレーム１４２をＵＥ１１５に送信するように構成されたトランシーバ６０を含み得る。その上、フレーム識別構成要素１４０は、１つまたは複数の識別子を備える１つまたは複数のＳＩＢを、ネットワークエンティティ１０５−ｂによってサービスされるＵＥに送信するように、ネットワークエンティティ１０５−ｂを構成し得る。たとえば、ネットワークエンティティ１０５−ｂは、ユニキャストモードＵＥが、受信フレームがどんな送信タイプに対応するかを決定するために、セル識別子をもつプリアンブルと仮想セル識別子をもつプリアンブルの両方を探索するように構成され得るように、ユニキャストモードＵＥのために仮想セル識別子をシグナリングし得る。
【００５７】
[0067]さらに、限定はしないが、ワイヤレス通信システム４００のネットワークエンティティ１０５−ａおよび１０５−ａを含む、本明細書で使用される１つまたは複数のワイヤレスノードは、基地局またはノードＢ、リレー、ピアツーピアデバイス、認証、許可およびアカウンティング（ＡＡＡ）サーバ、モバイルスイッチングセンター（ＭＳＣ）、無線ネットワークコントローラ（ＲＮＣ）などを含む、ネットワークエンティティなど、任意のタイプのネットワーク構成要素のうちの１つまたは複数を含み得る。さらなる態様では、ワイヤレス通信システム４００の１つまたは複数のワイヤレスサービングノードは、限定はしないが、マクロ基地局と比較して比較的小さい送信電力または比較的小さいカバレージエリアを有するフェムトセル、ピコセル、マイクロセル、または他の基地局など、１つまたは複数のスモールセル基地局を含み得る。
【００５８】
[0068]図５を参照すると、図５００は、無認可または共有スペクトル上でジョイント送信に関与する１つまたは複数のネットワークエンティティまたはノード（たとえば、ネットワークエンティティ１０５−ａまたはネットワークエンティティ１０５−ｂ）による例示的なダウンリンク送信を示している。一態様では、図５００は、フレームのシーケンスの一部である第１のフレーム、第２のフレーム、第３のフレーム、および第４のフレームが、ネットワークエンティティ（たとえば、図４Ａのネットワークエンティティ１０５−ｂ）からＵＥ（たとえば、図４ＡのＵＥ１１５）に無認可または共有スペクトル上で送信されるシナリオを示す。たとえば、ＵＥ１１５は、第１のフレームを受信し、プリアンブルに基づいて、フレームがユニキャスト送信に対応するのかジョイント送信に対応するのかを決定するために、フレーム識別構成要素１３０を実行し得る。この例では、第１のフレームはＣｏＭＰプリアンブルで識別され、したがって、ＵＥ１１５は、第１のフレームがジョイント送信に対応すると決定する。したがって、ユニキャストモードで動作している、ＵＥ１１５など、ＵＥは、それがジョイント送信データを処理しないので、電力を節約するために、フレームの残りについて（および次のフレームが受信されるまで）スリープモードをトリガし得る。ＵＥ１１５が第２のフレームを受信すると、それはアクティブモードに戻り、プリアンブルに基づいて、フレームがユニキャスト送信に対応するのかジョイント送信に対応するのかを再び決定し得る。この例では、第２のフレームはユニキャストプリアンブルで識別され、したがって、ＵＥ１１５は、第２のフレームがユニキャスト送信に対応すると決定する。したがって、ＵＥ１１５は、第２のフレーム上で受信された残りのデータを復号することになる。第３および第４のフレームについて、ＵＥ１１５は、プリアンブルに基づいて、フレームがユニキャスト送信に対応するのかジョイント送信に対応するのかを再び決定することになる。この例では、第３および第４のフレームはＭＢＳＦＮプリアンブルで識別され、したがって、ＵＥ１１５は、第３および第４のフレームがジョイント送信に対応すると決定する。したがって、ＵＥ１１５は、電力を節約するために、各フレームの残りについて（および次のフレームが受信されるまで）スリープモードをトリガし得る。
【００５９】
[0069]図６を参照すると、本装置および本方法による、フレーム識別構成要素１３０（図４Ａ）の一態様の、１つまたは複数の動作の一例ならびに／またはアーキテクチャレイアウトおよび構成要素および副構成要素（図４Ａ）の一例が、１つまたは複数の方法と、これらの方法のアクションを実施し得る１つまたは複数の構成要素とに関して説明される。以下で説明される動作は、特定の順序でおよび／または例示的な構成要素によって実施されるものとして提示されるが、アクションの順序およびアクションを実施する構成要素は、実装形態に応じて変更され得ることを理解されたい。また、フレーム識別構成要素１３０はいくつかの副構成要素を有するものとして示されるが、図示される副構成要素のうちの１つまたは複数は、フレーム識別構成要素１３０および／または互いとは別個であるが、それらと通信していることがあることを理解されたい。その上、フレーム識別構成要素１３０および／またはそれの副構成要素に関して説明される以下のアクションまたは構成要素は、特別にプログラムされたプロセッサ、特別にプログラムされたソフトウェアまたはコンピュータ可読媒体を実行するプロセッサによって、あるいは説明されるアクションまたは構成要素を実施するために特別に構成されたハードウェア構成要素および／またはソフトウェア構成要素の任意の他の組合せによって実施され得ることを理解されたい。
【００６０】
[0070]一態様では、ブロック６１０において、方法６００は、ＵＥにおいて、競合ベース媒体上で１つまたは複数のネットワークエンティティからフレームを受信することを含み、ここにおいて、フレームはプリアンブルを含む。一態様では、たとえば、ＵＥ１１５は、競合ベース媒体上で１つまたは複数のネットワークエンティティ（ネットワークエンティティ１０５−ａおよび／または１０５−ｂ）からフレーム１３１を受信するために、フレーム識別構成要素１３０（図４Ａ）および／またはトランシーバ６０を実行し得、ここにおいて、フレーム１３１はプリアンブル１３２を含む。さらに、プリアンブルは、チャネル使用ビーコン信号（ＣＵＢＳ）またはセル固有基準信号（ＣＲＳ）を備え得る。プリアンブルは、物理フレームフォーマットインジケータチャネル（ＰＦＦＩＣＨ）、または現在のフレームフォーマットを示す共通ＰＤＣＣＨをも備え得る。さらなる態様では、処理システム１１１４（図１１）、プロセッサ１１０４、および／またはメモリ１１０６は、競合ベース媒体上で１つまたは複数のネットワークエンティティからフレーム１３１を受信するために、受信構成要素１００４を実行し得るか、または受信構成要素１００４の機能のうちの少なくともいくつかを実施し得る。
【００６１】
[0071]一態様では、ブロック６２０において、方法６００は、プリアンブルのスクランブリングを識別することを随意に含む。一態様では、たとえば、ＵＥ１１５は、プリアンブル１３２のスクランブリングを識別するために、フレーム識別構成要素１３０（図４Ａ）および／またはデスクランブリング構成要素１３６を実行し得る。たとえば、プリアンブル１３２は、セル識別子、仮想セル識別子、またはＭＢＳＦＮ識別子など、特定の送信タイプに関連する識別子によってスクランブルされ得る。さらなる態様では、処理システム１１１４（図１１）、プロセッサ１１０４、および／またはメモリ１１０６は、プリアンブル１３２のスクランブリングを識別するために、フレーム識別構成要素１０２０を実行し得るか、またはフレーム識別構成要素１０２０の機能のうちの少なくともいくつかを実施し得る。
【００６２】
[0072]一態様では、ブロック６３０において、方法６００は、プリアンブルに基づいて、フレームがユニキャスト送信に対応するのかジョイント送信に対応するのかを決定することを含む。一態様では、たとえば、ＵＥ１１５は、プリアンブル１３２に基づいて、フレーム１３１がユニキャスト送信１３４に対応するのかジョイント送信１３５に対応するのかを決定するために、フレーム識別構成要素１３０（図４Ａ）および／または決定構成要素１３３を実行し得る。たとえば、フレーム識別構成要素１３０および／または決定構成要素１３３は、プリアンブル１３２のスクランブリングに基づいて、フレーム１３１がユニキャスト送信１３４に対応するのかジョイント送信１３５に対応するのかを決定し得る。一態様では、フレーム識別構成要素１３０および／または決定構成要素１３３は、プリアンブル１３２がセル識別子によってスクランブルされたことを識別することに応答して、フレーム１３１がユニキャスト送信１３４に対応すると決定し得る。したがって、方法６００はブロック６４０に進み得る。その上、フレーム識別構成要素１３０および／または決定構成要素１３３は、プリアンブル１３２が仮想セル識別子によってスクランブルされたことを識別することに応答して、フレーム１３１がＣｏＭＰ送信に関連するジョイント送信１３５に対応すると決定し得る。したがって、方法６００はブロック６５０に進み得る。同様に、フレーム識別構成要素１３０および／または決定構成要素１３３は、プリアンブル１３２がＭＢＳＦＮ識別子によってスクランブルされたことを識別することに応答して、フレーム１３１がＭＢＳＦＮ送信に関連するジョイント送信１３５に対応すると決定し得る。この場合も、方法６００はブロック６５０に進み得る。方法６００がブロック６５０に進む事例では、ＵＥ１１５がユニキャストモードで動作していた場合、ＵＥ１１５は、フレーム１３１の残りについてスリープモードにトリガされ得る。ＵＥ１１５は、次のフレームが受信されるまで、スリープモードのままであり得る。さらに、ＵＥ１１５および／またはフレーム識別構成要素１３０は、スケジューリングフレームがジョイント送信１３５に対応することを識別することに応答して、仮想セル識別子とＭＢＳＦＮ識別子とを使用して、ＰＦＦＩＣＨのトーンマッピングを実施するように構成され得、ここで、ノードにわたるジョイントＰＦＦＩＣＨ送信は、さらに、ジョイント送信に参加しているノードにわたって同じＰＦＦＩＣＨコンテンツを送信することを暗示する。さらなる態様では、処理システム１１１４（図１１）、プロセッサ１１０４、および／またはメモリ１１０６は、プリアンブル１３２に基づいて、フレーム１３１がユニキャスト送信１３４に対応するのかジョイント送信１３５に対応するのかを決定するために、フレーム識別構成要素１０２０を実行し得るか、またはフレーム識別構成要素１０２０の機能のうちの少なくともいくつかを実施し得る。
【００６３】
[0073]図７を参照すると、本装置および本方法による、フレーム識別構成要素１４０（図４Ｂ）の一態様の、１つまたは複数の動作の一例ならびに／またはアーキテクチャレイアウトおよび構成要素および副構成要素（図４Ｂ）の一例が、１つまたは複数の方法と、これらの方法のアクションを実施し得る１つまたは複数の構成要素とに関して説明される。以下で説明される動作は、特定の順序でおよび／または例示的な構成要素によって実施されるものとして提示されるが、アクションの順序およびアクションを実施する構成要素は、実装形態に応じて変更され得ることを理解されたい。また、フレーム識別構成要素１４０はいくつかの副構成要素を有するものとして示されるが、図示される副構成要素のうちの１つまたは複数は、フレーム識別構成要素１４０および／または互いとは別個であるが、それらと通信していることがあることを理解されたい。その上、フレーム識別構成要素１４０および／またはそれの副構成要素に関して説明される以下のアクションまたは構成要素は、特別にプログラムされたプロセッサ、特別にプログラムされたソフトウェアまたはコンピュータ可読媒体を実行するプロセッサによって、あるいは説明されるアクションまたは構成要素を実施するために特別に構成されたハードウェア構成要素および／またはソフトウェア構成要素の任意の他の組合せによって実施され得ることを理解されたい。
【００６４】
[0074]一態様では、ブロック７１０において、方法７００は、ネットワークエンティティにおいて、フレームがユニキャスト送信に対応するのかジョイント送信に対応するのかを決定することを含む。一態様では、たとえば、ネットワークエンティティ１０５−ｂは、フレーム１４２がユニキャスト送信１４４に対応するのかジョイント送信１４５に対応するのかを決定するために、フレーム識別構成要素１４０（図４Ｂ）および／または決定構成要素１４１を実行し得る。たとえば、フレーム１４２がジョイント送信１４５に対応する場合、それはＣｏＭＰまたはＭＢＳＦＮ送信に対応し得る。さらなる態様では、処理システム９１４（図９）、プロセッサ９０４、および／またはメモリ９０６は、フレーム１４２がユニキャスト送信１４４に対応するのかジョイント送信１４５に対応するのかを決定するために、フレーム識別構成要素８２０を実行し得るか、またはフレーム識別構成要素８２０の機能のうちの少なくともいくつかを実施し得る。
【００６５】
[0075]一態様では、ブロック７２０において、方法７００は、フレームがユニキャスト送信に対応するのかジョイント送信に対応するのかを決定することに基づいて、フレームのプリアンブルを構成することを随意に含む。一態様では、たとえば、ネットワークエンティティ１０５−ｂは、フレーム１４２がユニキャスト送信１４４に対応するのかジョイント送信１４５に対応するのかを決定することに基づいて、フレーム１４２のプリアンブル１４３を構成するために、フレーム識別構成要素１４０（図４Ｂ）および／または決定構成要素１４１を実行し得る。たとえば、フレーム識別構成要素１４０および／または決定構成要素１４１は、フレーム１４２がユニキャスト送信１４４に対応することが決定された場合、セル識別子を用いてプリアンブル１４３を構成し得る。その上、フレーム識別構成要素１４０および／または決定構成要素１４１は、フレーム１４２がＣｏＭＰなどのジョイント送信１４５に対応することが決定された場合、仮想セル識別子を用いてプリアンブル１４３を構成し得る。同様に、フレーム識別構成要素１４０および／または決定構成要素１４１は、フレーム１４２がＭＢＳＦＮなどのジョイント送信１４５に対応することが決定された場合、ＭＢＳＦＮ識別子を用いてプリアンブル１４３を構成し得る。さらなる態様では、処理システム９１４（図９）、プロセッサ９０４、および／またはメモリ９０６は、フレーム１４２がユニキャスト送信１４４に対応するのかジョイント送信１４５に対応するのかを決定することに基づいてフレーム１４２のプリアンブル１４３を構成するために、フレーム識別構成要素８２０を実行し得るか、またはフレーム識別構成要素８２０の機能のうちの少なくともいくつかを実施し得る。
【００６６】
[0076]一態様では、ブロック７３０において、方法７００は、競合ベース媒体上で、プリアンブルをもつフレームをＵＥに送信することを含み、プリアンブルは、フレームがユニキャスト送信に対応するのかジョイント送信に対応するのかを決定することに基づく。一態様では、たとえば、ネットワークエンティティ１０５−ｂは、競合ベース媒体上で、プリアンブル１４３をもつフレーム１４２をＵＥ（たとえば、ＵＥ１１５）に送信するために、フレーム識別構成要素１４０（図４Ｂ）および／またはトランシーバ６１を実行し得、プリアンブル１４３は、フレーム１４２がユニキャスト送信１４４に対応するのかジョイント送信１４５に対応するのかを決定することに基づく。さらなる態様では、処理システム９１４（図９）、プロセッサ９０４、および／またはメモリ９０６は、競合ベース媒体上で、プリアンブル１４３をもつフレーム１４２をＵＥ（たとえば、ＵＥ１１５）に送信するために、送信構成要素８１２を実行し得るか、または送信構成要素８１２の機能のうちの少なくともいくつかを実施し得る
[0077]図８は、フレーム識別構成要素１４０と同じまたは同様であり得るフレーム識別構成要素８２０を含む、例示的な装置８０２中の異なる手段／構成要素間のデータフローを示す概念データフロー図８００である。装置８０２は、図１および図４Ｂの基地局１０５を含み得る基地局であり得る。装置８０２は、一態様では、ネットワークエンティティにおいて、フレームがユニキャスト送信に対応するのかジョイント送信に対応するのかを決定するフレーム識別構成要素８２０を含む。装置８０２は、競合ベース媒体上で、プリアンブルをもつフレームをＵＥ１１５などのＵＥに送信する送信構成要素８１２をさらに含み、プリアンブルは、フレームがユニキャスト送信に対応するのかジョイント送信に対応するのかを決定することに基づく。さらに、装置８０２は、１つまたは複数のＵＥのうちの少なくとも１つから１つまたは複数の信号を受信する受信構成要素８０４を含む。
【００６７】
[0078]本装置は、図８の上述のフローチャート中のアルゴリズムのブロックの各々を実施する追加の構成要素を含み得る。したがって、図８の上述のフローチャート中の各ブロックは、１つの構成要素によって実施され得、本装置は、それらの構成要素のうちの１つまたは複数を含み得る。構成要素は、述べられたプロセス／アルゴリズムを行うように特に構成された１つまたは複数のハードウェア構成要素であるか、述べられたプロセス／アルゴリズムを実施するように構成されたプロセッサによって実装されるか、プロセッサによる実装のためにコンピュータ可読媒体内に記憶されるか、またはそれらの何らかの組合せであり得る。
【００６８】
[0079]図９は、フレーム識別構成要素１４０（図４Ｂ）と同じまたは同様であり得るフレーム識別構成要素８２０（図８）を含む、処理システム９１４を採用する装置８０２’のためのハードウェア実装形態の一例を示す図９００である。処理システム９１４は、バス９２４によって概略的に表されるバスアーキテクチャを用いて実装され得る。バス９２４は、処理システム９１４の特定の適用例および全体的な設計制約に応じて、任意の数の相互接続バスおよびブリッジを含み得る。バス９２４は、（１つまたは複数の）プロセッサ３７５（図３）および／または２１（図４Ｂ）と同じまたは同様であり得るプロセッサ９０４によって表される１つまたは複数のプロセッサおよび／またはハードウェア構成要素と、構成要素８０４、８１２、および８２０と、メモリ３７６（図３）および／または４５（図４Ｂ）と同じまたは同様であり得るコンピュータ可読媒体／メモリ９０６とを含む様々な回路を互いにリンクする。バス９２４はまた、タイミングソース、周辺機器、電圧調整器、および電力管理回路など、様々な他の回路をリンクし得るが、これらの回路は当技術分野においてよく知られており、したがって、これ以上説明されない。
【００６９】
[0080]処理システム９１４はトランシーバ９１０に結合され得る。トランシーバ９１０は１つまたは複数のアンテナ９２０に結合される。トランシーバ９１０は、伝送媒体を介して様々な他の装置と通信するための手段を与える。トランシーバ９１０は、１つまたは複数のアンテナ９２０から信号を受信し、受信された信号から情報を抽出し、抽出された情報を処理システム９１４、特に受信構成要素８０４に与える。さらに、トランシーバ９１０は、処理システム９１４、特に送信構成要素８１２から情報を受信し、受信された情報に基づいて、１つまたは複数のアンテナ９２０に適用されるべき信号を生成する。処理システム９１４は、コンピュータ可読媒体／メモリ９０６に結合されたプロセッサ９０４を含む。プロセッサ９０４は、コンピュータ可読媒体／メモリ９０６に記憶されたソフトウェアの実行を含む一般的な処理を担当する。ソフトウェアは、プロセッサ９０４によって実行されたとき、処理システム９１４に、特定の装置のための上記で説明された様々な機能を実施させる。コンピュータ可読媒体／メモリ９０６はまた、ソフトウェアを実行するときにプロセッサ９０４によって操作されるデータを記憶するために使用され得る。処理システム９１４は、構成要素８０４、８１２、および８２０のうちの少なくとも１つをさらに含む。それらの構成要素は、プロセッサ９０４中で動作し、コンピュータ可読媒体／メモリ９０６中に存在する／記憶されたソフトウェア構成要素であるか、プロセッサ９０４に結合された１つまたは複数のハードウェア構成要素であるか、またはそれらの何らかの組合せであり得る。
【００７０】
[0081]一構成では、ワイヤレス通信のための装置９０２／８０２’は、無認可スペクトルにおけるジョイント送信を識別するための手段を含む。本装置は、ネットワークエンティティにおいて、フレームがユニキャスト送信に対応するのかジョイント送信に対応するのかを決定するための手段を含む。さらに、別の構成では、ワイヤレス通信のための装置９０２／８０２’は、競合ベース媒体上で、プリアンブルをもつフレームをＵＥに送信するための手段を含み、プリアンブルは、フレームがユニキャスト送信に対応するのかジョイント送信に対応するのかを決定することに基づく。
【００７１】
[0082]上述の手段は、上述の手段によって具陳された機能を実施するように構成された、装置９０２、および／または装置８０２’の処理システム９１４の上述の構成要素のうちの１つまたは複数であり得る。上記で説明されたように、処理システム９１４は、ＴＸプロセッサ３１６と、ＲＸプロセッサ３７０と、コントローラ／プロセッサ３７５とを含み得る。したがって、一構成では、上述の手段は、上述の手段によって具陳された機能を実施するように構成された、ＴＸプロセッサ３１６と、ＲＸプロセッサ３７０と、コントローラ／プロセッサ３７５とであり得る。
【００７２】
[0083]図１０は、フレーム識別構成要素１３０と同じまたは同様であり得るフレーム識別構成要素１０２０を含む、例示的な装置１００２中の異なる手段／構成要素間のデータフローを示す概念データフロー図１０００である。装置１００２は、図１および図４ＡのＵＥ１１５を含み得るＵＥであり得る。装置１００２は、一態様では、ＵＥにおいて、競合ベース媒体上で１つまたは複数のネットワークエンティティからフレームを受信する受信構成要素１００４を含み、ここにおいて、フレームはプリアンブルを含む。装置１００２は、プリアンブルに基づいて、フレームがユニキャスト送信に対応するのかジョイント送信に対応するのかを決定するフレーム識別構成要素１０２０を含む。一態様では、装置１００２は、１つまたは複数の信号を１つまたは複数の基地局のうちの少なくとも１つに送信する送信構成要素１０１２をさらに含む。
【００７３】
[0084]本装置は、図１０の上述のフローチャート中のアルゴリズムのブロックの各々を実施する追加の構成要素を含み得る。したがって、図１０の上述のフローチャート中の各ブロックは、１つの構成要素によって実施され得、本装置は、それらの構成要素のうちの１つまたは複数を含み得る。構成要素は、述べられたプロセス／アルゴリズムを行うように特に構成された１つまたは複数のハードウェア構成要素であるか、述べられたプロセス／アルゴリズムを実施するように構成されたプロセッサによって実装されるか、プロセッサによる実装のためにコンピュータ可読媒体内に記憶されるか、またはそれらの何らかの組合せであり得る。
【００７４】
[0085]図１１は、フレーム識別構成要素１３０（図４Ａ）と同じまたは同様であり得るフレーム識別構成要素１０２０（図１０）を含む、処理システム１１１４を採用する装置１００２’のためのハードウェア実装形態の一例を示す図１１００である。処理システム１１１４は、バス１１２４によって概略的に表されるバスアーキテクチャを用いて実装され得る。バス１１２４は、処理システム１１１４の特定の適用例および全体的な設計制約に応じて、任意の数の相互接続バスおよびブリッジを含み得る。バス１１２４は、（１つまたは複数の）プロセッサ２０（図４Ａ）と同じまたは同様であり得るプロセッサ１１０４によって表される１つまたは複数のプロセッサおよび／またはハードウェア構成要素と、構成要素１００４、１０１０、および１０１２と、メモリ４４（図４Ａ）と同じまたは同様であり得るコンピュータ可読媒体／メモリ１１０６とを含む様々な回路を互いにリンクする。バス１１２４はまた、タイミングソース、周辺機器、電圧調整器、および電力管理回路など、様々な他の回路をリンクし得るが、これらの回路は当技術分野においてよく知られており、したがって、これ以上説明されない。
【００７５】
[0086]処理システム１１１４はトランシーバ１１１０に結合され得る。トランシーバ１１１０は１つまたは複数のアンテナ１１２０に結合される。トランシーバ１１１０は、伝送媒体を介して様々な他の装置と通信するための手段を与える。トランシーバ１１１０は、１つまたは複数のアンテナ１１２０から信号を受信し、受信された信号から情報を抽出し、抽出された情報を処理システム１１１４、特に受信構成要素１００４に与える。さらに、トランシーバ１１１０は、処理システム１１１４、特に送信構成要素１１１２から情報を受信し、受信された情報に基づいて、１つまたは複数のアンテナ１１２０に適用されるべき信号を生成する。処理システム１１１４は、コンピュータ可読媒体／メモリ１１０６に結合されたプロセッサ１１０４を含む。プロセッサ１１０４は、コンピュータ可読媒体／メモリ１１０６に記憶されたソフトウェアの実行を含む一般的な処理を担当する。ソフトウェアは、プロセッサ１１０４によって実行されたとき、処理システム１１１４に、特定の装置のための上記で説明された様々な機能を実施させる。コンピュータ可読媒体／メモリ１１０６はまた、ソフトウェアを実行するときにプロセッサ１１０４によって操作されるデータを記憶するために使用され得る。処理システム１１１４は、構成要素１００４、１０１０、および１０１２のうちの少なくとも１つをさらに含む。それらの構成要素は、プロセッサ１１０４中で動作し、コンピュータ可読媒体／メモリ１１０６中に存在する／記憶されたソフトウェア構成要素であるか、プロセッサ１１０４に結合された１つまたは複数のハードウェア構成要素であるか、またはそれらの何らかの組合せであり得る。
【００７６】
[0087]一構成では、ワイヤレス通信のための装置１１０２／１００２’は、ＵＥにおいて、競合ベース媒体上で１つまたは複数のネットワークエンティティからフレームを受信するための手段を含み、ここにおいて、フレームはプリアンブルを含む。本装置は、プリアンブルに基づいて、フレームがユニキャスト送信に対応するのかジョイント送信に対応するのかを決定するための手段を含む。
【００７７】
[0088]上述の手段は、上述の手段によって具陳された機能を実施するように構成された、装置１１０２、および／または装置１００２’の処理システム１１１４の上述の構成要素のうちの１つまたは複数であり得る。上記で説明されたように、処理システム１１１４は、ＴＸプロセッサ３６８と、ＲＸプロセッサ３５６と、コントローラ／プロセッサ３５９とを含み得る。したがって、一構成では、上述の手段は、上述の手段によって具陳された機能を実施するように構成された、ＴＸプロセッサ３６８と、ＲＸプロセッサ３５６と、コントローラ／プロセッサ３５９とであり得る。
【００７８】
[0089]開示されるプロセスにおけるステップの特定の順序または階層は、例示的な手法の一例であることを理解されたい。設計選好に基づいて、プロセスにおけるステップの特定の順序または階層は再構成され得ることを理解されたい。さらに、いくつかのステップは組み合わせられるかまたは省略され得る。添付の方法クレームは、様々なステップの要素を例示的な順序で提示したものであり、提示された特定の順序または階層に限定されるものではない。
【００７９】
[0090]いくつかの態様では、装置または装置の構成要素は、本明細書で教示される機能を与えるように構成され得る（またはそのように動作可能であるかまたは適応され得る）。これは、たとえば、その機能を与えるように装置または構成要素を製造する（たとえば、作製する）ことによって、その機能を与えるように装置もしくは構成要素をプログラムすることによって、または何らかの他の好適な実装技法の使用によって、達成され得る。一例として、集積回路は、必須の機能を与えるために作製され得る。別の例として、集積回路は、必須の機能をサポートするために作製され、次いで、必須の機能を与えるように（たとえば、プログラミングによって）構成され得る。また別の例として、プロセッサ回路は、必須の機能を与えるためのコードを実行し得る。
【００８０】
[0091]本明細書における「第１」、「第２」などの名称を使用した要素への言及は、それらの要素の数量または順序を概括的に限定するものでないことを理解されたい。むしろ、これらの名称は、本明細書において２つまたはそれ以上の要素またはある要素の複数の事例を区別する便利な方法として使用され得る。したがって、第１の要素および第２の要素への言及は、そこで２つの要素のみが採用され得ること、または第１の要素が何らかの方法で第２の要素に先行しなければならないことを意味するものではない。また、別段に記載されていない限り、要素のセットは１つまたは複数の要素を備え得る。さらに、明細書または特許請求の範囲において使用される「Ａ、Ｂ、またはＣのうちの少なくとも１つ」または「Ａ、Ｂ、またはＣのうちの１つまたは複数」または「Ａ、Ｂ、およびＣからなるグループのうちの少なくとも１つ」という形式の用語は、「ＡまたはＢまたはＣあるいはこれらの要素の任意の組合せ」を意味する。たとえば、この用語は、Ａ、またはＢ、またはＣ、またはＡおよびＢ、またはＡおよびＣ、またはＡおよびＢおよびＣ、または２Ａ、または２Ｂ、または２Ｃなどを含み得る。
【００８１】
[0092]情報および信号は、多種多様な技術および技法のいずれかを使用して表され得ることを、当業者は諒解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００８２】
[0093]さらに、本明細書で開示される態様に関して説明される様々な例示的な論理ブロック、モジュール、回路、およびアルゴリズムステップは、電子ハードウェア、コンピュータソフトウェア、または両方の組合せとして実装され得ることを、当業者は諒解されよう。ハードウェアとソフトウェアのこの互換性を明確に示すために、様々な例示的な構成要素、ブロック、モジュール、回路、およびステップが、概してそれらの機能に関して上記で説明された。そのような機能をハードウェアとして実装するか、ソフトウェアとして実装するかは、特定の適用例および全体的なシステムに課される設計制約に依存する。当業者は、説明された機能を特定の適用例ごとに様々な方法で実装し得るが、そのような実装の決定は、本開示の範囲からの逸脱を生じるものと解釈されるべきではない。
【００８３】
[0094]本明細書で開示される態様に関して説明された方法、シーケンスおよび／またはアルゴリズムは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサに一体化され得る。
【００８４】
[0095]したがって、本開示の態様は、無認可スペクトルにおける送信に対する動的な帯域幅管理のための方法を具現化するコンピュータ可読媒体を含むことができる。したがって、本開示は図示の例に限定されない。
【００８５】
[0096]上記の開示は、例示的な態様を示すが、様々な変更および修正が、添付の特許請求の範囲によって定義される本開示の範囲から逸脱することなく本明細書において作成可能であることに留意されたい。本明細書で説明された本開示の態様による方法クレームの機能、ステップおよび／またはアクションは、特定の順序で実施されなくてもよい。さらに、いくつかの態様は、単数形で説明または請求されていることがあるが、単数形に限定することが明示的に述べられていない限り、複数形が企図される。
以下に本願発明の当初の特許請求の範囲に記載された発明を付記する。
［Ｃ１］
ユーザ機器（ＵＥ）において、競合ベース媒体上で１つまたは複数のネットワークエンティティからフレームを受信することと、ここにおいて、前記フレームがプリアンブルを含む、
前記プリアンブルに基づいて、前記フレームがユニキャスト送信に対応するのかジョイント送信に対応するのかを決定することと
を備える、通信の方法。
［Ｃ２］
前記プリアンブルのスクランブリングを識別することをさらに備え、ここにおいて、前記フレームが前記ユニキャスト送信に対応するのか前記ジョイント送信に対応するのかを決定することは、前記プリアンブルの前記スクランブリングに基づく、Ｃ１に記載の方法。
［Ｃ３］
前記フレームが前記ユニキャスト送信に対応するのか前記ジョイント送信に対応するのかを決定することは、前記プリアンブルがセル識別子によってスクランブルされたことを識別することに応答して、前記フレームが前記ユニキャスト送信に対応すると決定することを備える、Ｃ２に記載の方法。
［Ｃ４］
前記フレームが前記ユニキャスト送信に対応するのか前記ジョイント送信に対応するのかを決定することは、前記プリアンブルが仮想セル識別子によってスクランブルされたことを識別することに応答して、前記フレームが多地点協調（ＣｏＭＰ）送信に関連するジョイント送信に対応すると決定することを備える、Ｃ２に記載の方法。
［Ｃ５］
前記フレームが前記ユニキャスト送信に対応するのか前記ジョイント送信に対応するのかを決定することは、前記プリアンブルがマルチキャストブロードキャスト単一周波数ネットワーク（ＭＢＳＦＮ）エリア識別子によってスクランブルされたことを識別することに応答して、前記フレームがＭＢＳＦＮ送信に関連するジョイント送信に対応すると決定することを備える、Ｃ２に記載の方法。
［Ｃ６］
セル識別子、仮想セル識別子およびマルチキャストブロードキャスト単一周波数ネットワーク（ＭＢＳＦＮ）エリア識別子のうちの少なくとも１つまたは複数に基づいて、前記プリアンブルのトーンロケーションを識別することをさらに備える、Ｃ２に記載の方法。
［Ｃ７］
前記フレームが前記ジョイント送信に対応すると決定することと、前記ＵＥがユニキャストモードにあることとに応答して、前記フレームの残りについて、前記ＵＥをスリープモードにトリガすることをさらに備え、ここにおいて、前記ＵＥは、次のフレームが受信されるまで、前記スリープモードのままである、Ｃ１に記載の方法。
［Ｃ８］
前記プリアンブルが、チャネル使用ビーコン信号（ＣＵＢＳ）またはセル固有基準信号（ＣＲＳ）を備える、Ｃ１に記載の方法。
［Ｃ９］
前記プリアンブルが、物理フレームフォーマットインジケータチャネル（ＰＦＦＩＣＨ）、または現在のフレームフォーマットを示す共通ＰＤＣＣＨをさらに備える、Ｃ８に記載の方法。
［Ｃ１０］
スケジューリングフレームが前記ジョイント送信に対応することを識別することに応答して、仮想セル識別子とマルチキャストブロードキャスト単一周波数ネットワーク（ＭＢＳＦＮ）エリア識別子とを使用して、前記ＰＦＦＩＣＨまたは前記現在のフレームフォーマットを示す共通ＰＤＣＣＨのトーンマッピングを実施することをさらに備える、Ｃ９に記載の方法。
［Ｃ１１］
前記ジョイント送信に参加している前記１つまたは複数のネットワークエンティティにわたって、前記ＰＦＦＩＣＨまたは前記現在のフレームフォーマットを示す共通ＰＤＣＣＨの前記ジョイント送信を実施することをさらに備える、Ｃ１０に記載の方法。
［Ｃ１２］
前記競合ベース媒体が、無認可または共有スペクトルに関連する、Ｃ１に記載の方法。
［Ｃ１３］
命令を記憶するように構成されたメモリと、
前記メモリに通信可能に結合された１つまたは複数のプロセッサとを備え、ここにおいて、前記１つまたは複数のプロセッサは、
ユーザ機器（ＵＥ）において、競合ベース媒体上で１つまたは複数のネットワークエンティティからフレームを受信すること、ここにおいて、前記フレームがプリアンブルを含む、
前記プリアンブルに基づいて、前記フレームがユニキャスト送信に対応するのかジョイント送信に対応するのかを決定すること
を行うために前記命令を実行するように構成された、ワイヤレス通信のための装置。
［Ｃ１４］
前記１つまたは複数のプロセッサが、前記プリアンブルのスクランブリングを識別するようにさらに構成され、ここにおいて、前記１つまたは複数のプロセッサは、前記プリアンブルの前記スクランブリングに基づいて、前記フレームが前記ユニキャスト送信に対応するのか前記ジョイント送信に対応するのかを決定するように構成された、Ｃ１３に記載の装置。
［Ｃ１５］
前記フレームが前記ユニキャスト送信に対応するのか前記ジョイント送信に対応するのかを決定するように構成された前記１つまたは複数のプロセッサは、前記プリアンブルがセル識別子によってスクランブルされたことを識別することに応答して、前記フレームが前記ユニキャスト送信に対応すると決定するようにさらに構成された、Ｃ１４に記載の装置。
［Ｃ１６］
前記フレームが前記ユニキャスト送信に対応するのか前記ジョイント送信に対応するのかを決定するように構成された前記１つまたは複数のプロセッサは、前記プリアンブルが仮想セル識別子によってスクランブルされたことを識別することに応答して、前記フレームが多地点協調（ＣｏＭＰ）送信に関連するジョイント送信に対応すると決定するようにさらに構成された、Ｃ１４に記載の装置。
［Ｃ１７］
前記フレームが前記ユニキャスト送信に対応するのか前記ジョイント送信に対応するのかを決定するように構成された前記１つまたは複数のプロセッサは、前記プリアンブルがマルチキャストブロードキャスト単一周波数ネットワーク（ＭＢＳＦＮ）エリア識別子によってスクランブルされたことを識別することに応答して、前記フレームがＭＢＳＦＮ送信に関連するジョイント送信に対応すると決定するようにさらに構成された、Ｃ１４に記載の装置。
［Ｃ１８］
前記１つまたは複数のプロセッサが、セル識別子、仮想セル識別子およびマルチキャストブロードキャスト単一周波数ネットワーク（ＭＢＳＦＮ）エリア識別子のうちの少なくとも１つまたは複数に基づいて、前記プリアンブルのトーンロケーションを識別するようにさらに構成された、Ｃ１４に記載の装置。
［Ｃ１９］
前記１つまたは複数のプロセッサは、前記フレームが前記ジョイント送信に対応すると決定することと、前記ＵＥがユニキャストモードにあることとに応答して、前記フレームの残りについて、前記ＵＥをスリープモードにトリガするようにさらに構成され、ここにおいて、前記ＵＥは、次のフレームが受信されるまで、前記スリープモードのままである、Ｃ１３に記載の装置。
［Ｃ２０］
前記プリアンブルが、チャネル使用ビーコン信号（ＣＵＢＳ）またはセル固有基準信号（ＣＲＳ）を備える、Ｃ１３に記載の装置。
［Ｃ２１］
前記プリアンブルが、物理フレームフォーマットインジケータチャネル（ＰＦＦＩＣＨ）、または現在のフレームフォーマットを示す共通ＰＤＣＣＨをさらに備える、Ｃ２０に記載の装置。
［Ｃ２２］
前記１つまたは複数のプロセッサは、スケジューリングフレームが前記ジョイント送信に対応することを識別することに応答して、仮想セル識別子とマルチキャストブロードキャスト単一周波数ネットワーク（ＭＢＳＦＮ）エリア識別子とを使用して、前記ＰＦＦＩＣＨまたは前記現在のフレームフォーマットを示す共通ＰＤＣＣＨのトーンマッピングを実施するようにさらに構成され、ここにおいて、前記１つまたは複数のプロセッサが、前記ジョイント送信に参加している前記１つまたは複数のネットワークエンティティにわたって、前記ＰＦＦＩＣＨまたは前記現在のフレームフォーマットを示す共通ＰＤＣＣＨの前記ジョイント送信を実施するようにさらに構成された、Ｃ２１に記載の装置。
［Ｃ２３］
トランシーバをさらに備え、ここにおいて、前記ＵＥにおいて、前記競合ベース媒体上で前記１つまたは複数のネットワークエンティティから前記フレームを前記受信、Ｃ１３に記載の装置。
［Ｃ２４］
前記競合ベース媒体が、無認可または共有スペクトルに関連する、Ｃ１３に記載の装置。
［Ｃ２５］
ユーザ機器（ＵＥ）において、競合ベース媒体上で１つまたは複数のネットワークエンティティからフレームを受信するための手段と、ここにおいて、前記フレームがプリアンブルを含む、
前記プリアンブルに基づいて、前記フレームがユニキャスト送信に対応するのかジョイント送信に対応するのかを決定するための手段と
を備える、通信のための装置。
［Ｃ２６］
前記プリアンブルのスクランブリングを識別するための手段をさらに備え、ここにおいて、前記フレームが前記ユニキャスト送信に対応するのか前記ジョイント送信に対応するのかを決定するための前記手段は、前記プリアンブルの前記スクランブリングに基づく、Ｃ２５に記載の装置。
［Ｃ２７］
前記フレームが前記ジョイント送信に対応すると決定することと、前記ＵＥがユニキャストモードにあることとに応答して、前記フレームの残りについて、前記ＵＥをスリープモードにトリガするための手段をさらに備え、ここにおいて、前記ＵＥは、次のフレームが受信されるまで、前記スリープモードのままである、Ｃ２５に記載の装置。
［Ｃ２８］
ユーザ機器（ＵＥ）において、競合ベース媒体上で１つまたは複数のネットワークエンティティからフレームを受信するためのコードと、ここにおいて、前記フレームがプリアンブルを含む、
前記プリアンブルに基づいて、前記フレームがユニキャスト送信に対応するのかジョイント送信に対応するのかを決定するためのコードと
を備える、通信のためのコンピュータ実行可能コードを記憶するコンピュータ可読媒体。
［Ｃ２９］
前記プリアンブルのスクランブリングを識別するためのコードをさらに備え、ここにおいて、前記フレームが前記ユニキャスト送信に対応するのか前記ジョイント送信に対応するのかを決定するための前記コードは、前記プリアンブルの前記スクランブリングに基づく、Ｃ２８に記載のコンピュータ可読媒体。
［Ｃ３０］
前記フレームが前記ジョイント送信に対応すると決定することと、前記ＵＥがユニキャストモードにあることとに応答して、前記フレームの残りについて、前記ＵＥをスリープモードにトリガするためのコードをさらに備え、ここにおいて、前記ＵＥは、次のフレームが受信されるまで、前記スリープモードのままである、Ｃ２８に記載のコンピュータ可読媒体。
【図１】
0006559878.tif 000002
【図２】
0006559878.tif 000003
【図３】
0006559878.tif 000004
【図４Ａ】
0006559878.tif 000005
【図４Ｂ】
0006559878.tif 000006
【図５】
0006559878.tif 000007
【図６】
0006559878.tif 000008
【図７】
0006559878.tif 000009
【図８】
0006559878.tif 000010
【図９】
0006559878.tif 000011
【図１０】
0006559878.tif 000012
【図１１】
0006559878.tif 000013